(57)【特許請求の範囲】
【請求項１】
無線通信方法であって、
無線ネットワークにおける周波数間タイミング装置によって、第１の時分割複信（ＴＤＤ）周波数を用いる前記無線ネットワークのサービングセルを介して、周波数間ＴＤＤサブフレームタイミングを提供することを備え、前記周波数間タイミング装置は、前記サービングセル内に組み込まれるかあるいは前記サービングセルと通信可能であり、
前記周波数間タイミング装置によって、情報要素を生成することであって、前記情報要素は、前記無線ネットワークのアクセスポイントのＴＤＤサブフレームタイミング構成についての情報を含む１つ以上のメッセージフィールドを備え、前記アクセスポイントは、第２のＴＤＤ周波数に関して動作することと、
前記第１のＴＤＤ周波数を用いる無線エアインタフェース上の１つ以上のアクセス端末への配送のために、前記周波数間タイミング装置によって、前記情報要素を転送することと、を含む方法。
【請求項２】
前記情報要素によって前記第２のＴＤＤ周波数を識別することをさらに備える請求項１に記載の方法。
【請求項３】
前記情報要素のために単ビットデータフォーマット又は多ビットデータフォーマットを用いることをさらに備える請求項１に記載の方法。
【請求項４】
前記単ビットデータフォーマットは、前記アクセスポイントが前記サービングセルと同じ又は異なるサブフレーム構成を用いることを示す請求項３に記載の方法。
【請求項５】
前記多ビットデータフォーマットは、以下のうちのいずれか１つ、すなわち、
前記アクセスポイントの前記ＴＤＤサブフレームタイミング構成は、前記サービングセルによって用いられるＴＤＤサブフレームタイミング構成と同一である、
前記第２のＴＤＤ周波数を用いる前記無線ネットワークのセルは、前記ＴＤＤサブフレームタイミング構成も用いる、又は
前記第２のＴＤＤ周波数を用いる前記無線ネットワークのセルは、前記ＴＤＤサブフレームタイミング構成を含む一組のＴＤＤサブフレームタイミング構成のうちの１つも用いる、を明示する請求項３に記載の方法。
【請求項６】
前記サービングセルに隣接する１つ以上のセルのためのＴＤＤサブフレーム構成データを得ることと転送することとをさらに備える請求項１に記載の方法。
【請求項７】
前記サービングセルに隣接するセルによって用いられる複数のＴＤＤ周波数のためのＴＤＤサブフレーム構成データを得ることと転送することとをさらに備える請求項１に記載の方法。
【請求項８】
ＴＤＤ周波数別に前記サービングセルに隣接する各セルのためのＴＤＤサブフレーム構成データを明示する隣接セルリストを生成することと転送することとをさらに備える請求項１に記載の方法。
【請求項９】
前記情報要素によって前記ＴＤＤサブフレームタイミング構成の完全なサブフレーム構成を明示することをさらに備える請求項１に記載の方法。
【請求項１０】
前記情報要素を転送することは、次のうちの少なくとも１つ、すなわち、
前記サービングセルにアクティブに接続された前記１つ以上のアクセス端末に前記情報要素を転送するための専用シグナリングを用いること、又は
前記サービングセルからシグナリングメッセージを受信するアクセス端末に前記情報要素を転送するためのブロードキャストシグナリングを用いること、をさらに備える請求項１に記載の方法。
【請求項１１】
前記周波数間タイミング装置によって、前記第１のＴＤＤ周波数及び前記第２のＴＤＤ周波数と異なる第３のＴＤＤ周波数を用いる、前記無線ネットワークのアクセスポイントに関連する、追加のＴＤＤサブフレームタイミング構成を、前記情報要素内に、あるいは、前記第２のアクセスポイント又は前記第３のＴＤＤ周波数専用の第２の情報要素内において、識別することと、
前記周波数間タイミング装置によって、前記第１のＴＤＤ周波数を用いる無線エアインタフェース上の前記１つ以上のアクセス端末への配送のために、前記情報要素または前記第２の情報要素を含むメッセージを転送することと、をさらに備える請求項１に記載の方法。
【請求項１２】
無線通信のための装置であって、
前記装置に関連するセルとは異なるＴＤＤ周波数で動作する無線ネットワークの周波数間セルのための、時分割複信（ＴＤＤ）サブフレームタイミング構成を取得するように構成された通信インタフェースと、
ネットワークタイミングを用いてアクセス端末を更新するように構成されたモジュールを実行するためのデータプロセッサと、
前記モジュールを格納するように構成されたメモリと、を備え、前記モジュールは、
前記サブフレームタイミング構成に関する情報を含むための１つ以上のメッセージフィールドを備える情報要素（ＩＥ）を生成するように構成された変換モジュールと、
前記装置によって用いられる無線送信機を通じて前記アクセス端末にエアインタフェースを通じて前記情報要素を送信するように構成された配送モジュールと、を備える、無線通信のための装置。
【請求項１３】
前記通信インタフェースは、前記装置と関連づけられた基地局と前記周波数間セルとの間のバックホールネットワークに結合される請求項１２に記載の装置。
【請求項１４】
前記バックホールネットワークは、前記周波数間セル及び前記基地局を通信可能な形で結合する有線電子通信ネットワーク又は無線電子通信ネットワークである請求項１３に記載の装置。
【請求項１５】
前記情報要素は、単ビットフォーマット又は多ビットフォーマットである請求項１２に記載の装置。
【請求項１６】
前記単ビットフォーマットは、前記ＴＤＤサブフレームタイミング構成がサービングセルによって用いられるサービングサブフレーム構成と同じ又は異なることを示す請求項１５に記載の装置。
【請求項１７】
前記多ビットフォーマットは、前記周波数間セルによって用いられる完全なＴＤＤサブフレームタイミング構成を明示する請求項１５に記載の装置。
【請求項１８】
前記周波数間セルは、第１のＴＤＤ周波数を用い、前記アクセス端末にサービスを提供し及び前記装置と関連づけられているサービングセルは、第２のＴＤＤ周波数を用い、さらに、前記多ビットフォーマットは、次のうちのいずれか１つ、すなわち、
前記第１のＴＤＤ周波数を用いる前記無線ネットワークのセルは、前記サービングセルのサービングＴＤＤサブフレーム構成を利用する、
前記第１のＴＤＤ周波数を用いる前記無線ネットワークのセルは、前記サービングサブフレーム構成と異なる共通のＴＤＤサブフレーム構成を利用する、又は
前記第１のＴＤＤ周波数を用いる前記無線ネットワークのセルは、様々なＴＤＤサブフレーム構成のうちの１つも用いる、を明示する請求項１５に記載の装置。
【請求項１９】
セル別又は周波数別に前記通信インタフェースから得られた前記無線ネットワークの一組の隣接セルのためのＴＤＤサブフレーム構成データをコンパイルするように構成されたリスティングモジュールをさらに備え、隣接セルの前記組は、前記周波数間セルと少なくとも１つのその他のセルとを備える請求項１２に記載の装置。
【請求項２０】
前記装置に通信可能な形で結合され、前記リスティングモジュールによってコンパイルされたサブフレーム構成データを格納するように構成されたデータストアをさらに備える請求項１９に記載の装置。
【請求項２１】
前記リスティングモジュールは、前記無線ネットワークの隣接セルの前記組の中の１つのための又は前記無線ネットワークの１つのＴＤＤ周波数、又はそれらの組み合わせのための前記ＴＤＤサブフレーム構成データの各々の部分組を各々明示する一組の情報要素を備える前記ＴＤＤサブフレーム構成データから隣接セルリストを生成するように構成された請求項１９に記載の装置。
【請求項２２】
前記配送モジュールは、システム情報ブロードキャストチャネル又は測定構成ユニキャストチャネルで前記アクセス端末に前記隣接セルリストを送信するように構成された請求項２１に記載の装置。
【請求項２３】
無線通信のために構成された装置であって、
無線ネットワークのサービングセルで、第１の時分割複信（ＴＤＤ）周波数を用いる前記無線ネットワークのアクセスポイントのためのＴＤＤサブフレームタイミング構成を得るための手段と、
第２のＴＤＤ周波数を用いる前記無線ネットワークの前記サービングセルを介して周波数間ＴＤＤサブフレームタイミングデータを提供するための手段と、を備え、
前記ＴＤＤサブフレームタイミング構成に関する情報を明示する一組のメッセージフィールドを備える情報要素（ＩＥ）を生成するための手段と、
前記サービングセル内のアクセス端末に前記第２のＴＤＤ周波数を利用して前記情報要素を転送するための手段と、を備える、無線通信のために構成された装置。
【請求項２４】
無線通信のために構成された少なくとも１つのプロセッサであって、
第１の時分割複信（ＴＤＤ）周波数を用いる無線ネットワークのアクセスポイントのためのＴＤＤサブフレームタイミング構成を得るように構成されたモジュールと、
前記ＴＤＤサブフレームタイミング構成に関する情報を明示する一組のメッセージフィールドを備える情報要素（ＩＥ）を生成するように構成されたモジュールと、
第２のＴＤＤ周波数を用いる前記無線ネットワークのサービングセル内のアクセス端末に前記情報要素を転送するモジュールと、を備える、無線通信のために構成された少なくとも１つのプロセッサ。
【請求項２５】
コンピュータプログラムであって、
第１の時分割複信（ＴＤＤ）周波数を用いる無線ネットワークのアクセスポイントのためのＴＤＤサブフレームタイミング構成を得ることをコンピュータに行わせるための符号と、
前記ＴＤＤサブフレームタイミング構成に関する情報を明示する一組のメッセージフィールドを備える情報要素（ＩＥ）を生成することを前記コンピュータに行わせるための符号と、
第２のＴＤＤ周波数を用いる前記無線ネットワークのサービングセル内のアクセス端末に前記情報要素を転送することを前記コンピュータに行わせるための符号と、を備える、コンピュータプログラム。
【請求項２６】
無線通信に従事する方法であって、
無線ネットワークの複数の周波数に関するタイミング情報を得ることと、
前記無線ネットワークのセルのための周波数間サブフレームタイミングデータを決定することと、とを備え、
前記無線ネットワークの非サービングセルに関するタイミングデータを識別するために前記タイミング情報を構文解析することと、
前記非サービングセルのサブフレーム構成を得るか又は推測するために前記タイミングデータを解析することと、を備える、無線通信に従事する方法。
【請求項２７】
前記タイミング情報を得ることは、前記サブフレーム構成が前記タイミングデータ内にないか又は前記タイミングデータから推測できない場合に前記サブフレーム構成を得るために前記非サービングセルの無線信号を測定することをさらに備える請求項２６に記載の方法。
【請求項２８】
前記タイミング情報を構文解析することは、前記サブフレーム構成が前記無線ネットワークのサービングセルによって用いられるサービングサブフレーム構成と同じであるか又は異なるかを識別することをさらに備える請求項２６に記載の方法。
【請求項２９】
前記サブフレーム構成が前記サービングサブフレーム構成と同じである場合に前記非サービングセルの信号解析のために前記サービングサブフレーム構成を用いることをさらに備える請求項２８に記載の方法。
【請求項３０】
前記タイミング情報を構文解析することは、次の条件のうちのいずれか１つ、すなわち、
非サービング周波数を用いる前記無線ネットワークの1つ以上のセル（非サービングネットワークセル）は、サービング周波数のサービングサブフレーム構成を利用する、
前記1つ以上の非サービングネットワークセルは、前記サービングサブフレーム構成と異なる共通のサブフレーム構成を利用する、又は
前記1つ以上の非サービングネットワークセルは、一組の複数の異なるサブフレーム構成のうちの１つを利用する、を識別することをさらに備える請求項２６に記載の方法。
【請求項３１】
前記非サービングセルが前記サービングサブフレーム構成を利用する場合に前記非サービングネットワークセルの少なくとも１つの信号解析のために前記サービングサブフレーム構成を用いることをさらに備える請求項３０に記載の方法。
【請求項３２】
前記１つ以上の非サービングネットワークセルが前記共通のサブフレーム構成を利用する場合に、前記非サービング周波数のための測定されたサブフレーム構成を得るために前記非サービングネットワークセルの少なくとも１つの信号を解析することと、前記非サービングネットワークセルの全部に前記測定されたサブフレーム構成をインピュートすること、とをさらに備える請求項３０に記載の方法。
【請求項３３】
前記1つ以上の非サービングネットワークセルが複数の異なるサブフレーム構成の前記組の中の１つを利用する場合に、複数の異なるサブフレーム構成の組の中のいずれが前記少なくとも１つの非サービングネットワークセルによって用いられるかを識別するために前記非サービングセルの少なくとも１つの信号を独立して解析することをさらに備える請求項３０に記載の方法。
【請求項３４】
前記タイミング情報は、前記無線ネットワークのセル別又は周波数別にサブフレーム構成情報を提供する隣接セルリストを備える請求項２６に記載の方法。
【請求項３５】
前記隣接セルリストは、周波数別サブフレーム構成リスト及びセル別サブフレーム構成リストの両方を明示する請求項３４に記載の方法。
【請求項３６】
前記周波数別サブフレーム構成リストにおいて示される特定の周波数を用いる全非サービングセルに周波数別サブフレーム構成を関連づけることをさらに備え、ただし、前記周波数別サブフレーム構成と異なる前記セル別サブフレーム構成リストにおいて示されるセル別サブフレーム構成を有する前記特定の周波数を用いる非サービングセルを除く請求項３５に記載の方法。
【請求項３７】
無線通信に従事するために構成された装置であって、
無線ネットワークの多重時分割複信（ＴＤＤ）周波数を用いて通信をサポートするとともに、前記無線ネットワークの複数のセルと通信するように構成された無線通信インタフェースと、
ネットワークタイミング構成を得るように構成されたモジュールを格納するように配置されたメモリと、
前記モジュールを実行するように構成された少なくとも１つのデータプロセッサと、を備え、前記モジュールは、
前記無線ネットワークの非サービング周波数に関するＴＤＤサブフレーム構成データを識別するために前記無線ネットワークのサービングセルから前記無線通信インタフェースによって得られたタイミングデータを検査するように構成された解析モジュールと、
前記非サービング周波数の信号を解析するために前記非サービング周波数を用いるネットワークセルによって利用されるＴＤＤサブフレーム構成を用いるように構成された実装モジュールと、を備える、装置。
【請求項３８】
前記非サービング周波数に関する前記タイミングデータの部分組を識別して前記タイミングデータの前記部分組から前記ＴＤＤサブフレーム構成を決定又は推測すること、又は、
前記ＴＤＤサブフレーム構成を得るために前記非サービング周波数の信号を測定しなければならないことを前記タイミングデータの前記部分組から決定すること、のうちの１つを行うように構成された相関モジュールをさらに備える請求項３７に記載の装置。
【請求項３９】
前記タイミングデータの前記部分組は、前記ＴＤＤサブフレーム構成が前記装置によって用いられる既知のＴＤＤサブフレーム構成と同じ又は同じでないことを明示する請求項３８に記載の装置。
【請求項４０】
前記タイミングデータの前記部分組は、前記ＴＤＤサブフレーム構成が、次のうちのいずれか１つ、すなわち、
サービングＴＤＤサブフレーム構成と同じであり及び前記非サービング周波数を用いるネットワークセルによって共通して用いられる、
前記ＴＤＤサービングサブフレーム構成と異なり及び前記非サービング周波数を用いる前記ネットワークセルによって共通して用いられる、又は、
前記非サービング周波数を用いる前記ネットワークセルによって用いられる一組のＴＤＤサブフレーム構成のうちの１つであるにすぎない、ことを明示する請求項３８に記載の装置。
【請求項４１】
前記相関モジュールは、前記ＴＤＤサブフレーム構成が前記サービングＴＤＤサブフレーム構成と同じである場合に、前記サービングＴＤＤサブフレーム構成が前記非サービング周波数によって用いられることを決定するように構成された請求項４０に記載の装置。
【請求項４２】
前記相関モジュールは、前記ＴＤＤサブフレーム構成を得るべく前記非サービング周波数の信号を測定するように前記装置に命令し、前記ＴＤＤサブフレーム構成が前記サービングＴＤＤサブフレーム構成と異なり及び前記非サービング周波数を用いるネットワークセルによって共通して用いられる場合に、前記非サービング周波数に関する全てのネットワークセルに対するＴＤＤサブフレーム構成をインピュートするように構成される請求項４０に記載の装置。
【請求項４３】
前記相関モジュールは、前記ＴＤＤサブフレーム構成が前記非サービング周波数を用いる前記ネットワークセルによって用いられるＴＤＤサブフレーム構成の前記組の中の１つであるにすぎない場合に、そのような各セルのための前記ＴＤＤサブフレーム構成の前記組の中の各々のＴＤＤサブフレーム構成を得るために各々の前記セルの信号を独立して測定しなければならないと推測するように構成される請求項４０に記載の装置。
【請求項４４】
前記タイミングデータの前記部分組は、前記非サービング周波数又は前記非サービング周波数を用いるネットワークセルのための完全なＴＤＤサブフレーム構成を明示する請求項３８に記載の装置。
【請求項４５】
前記ＴＤＤサブフレーム構成を導き出すために前記非サービング周波数を用いるネットワークセルの信号を評価するように構成される信号測定モジュールをさらに備える請求項３７に記載の装置。
【請求項４６】
前記タイミングデータを前記無線ネットワークの前記複数のＴＤＤ周波数のうちの各々の１つに関するそれの各々の部分組にソートするように構成される構文解析モジュールをさらに備える請求項３７に記載の装置。
【請求項４７】
前記解析モジュールは、前記無線ネットワークの前記複数のＴＤＤ周波数のうちの各々の１つに関する各々のＴＤＤサブフレーム構成データを識別するためにタイミングデータの各々の部分組を検査するように構成される請求項４６に記載の装置。
【請求項４８】
無線通信に参加するための装置であって、
無線ネットワークの非サービング周波数に関するタイミング情報を得るための手段と、
前記無線ネットワークのセルのための周波数間タイミングデータを決定するための手段と、を備え、
前記非サービング周波数に関するサブフレーム構成データを識別するために前記タイミング情報を検査するための手段と、
前記非サービング周波数の信号を解析するために前記非サービング周波数を用いるネットワークセルによって利用されるサブフレーム構成を用いるための手段と、を備える、装置。
【請求項４９】
無線通信に参加するための少なくとも１つのプロセッサであって、
無線ネットワークの非サービング周波数に関するタイミング情報を得るためのモジュールと、
前記非サービング周波数に関するサブフレーム構成データを識別するために前記タイミング情報を検査するためのモジュールと、
前記非サービング周波数の信号を解析するために前記非サービング周波数を用いるネットワークセルによって利用されるサブフレーム構成を用いるためのモジュールと、を備える、少なくとも１つのプロセッサ。
【請求項５０】
コンピュータプログラムであって、
無線ネットワークの非サービング周波数に関するタイミング情報を得ることをコンピュータに行わせるための符号と、
前記非サービング周波数に関するサブフレーム構成データを識別するために前記タイミング情報を検査することを前記コンピュータに行わせるための符号と、
前記非サービング周波数の信号を解析するために前記非サービング周波数を用いるネットワークセルによって利用されるサブフレーム構成を用いることを前記コンピュータに行わせるための符号と、を備えるコンピュータによって読み取り可能な媒体、を備える、コンピュータプログラム。
【発明の詳細な説明】
【技術分野】
【０００１】
相互参照
本出願は、“NEIGHBOR CELL TDD CONFIGURATION FOR INTER-FREQUENCY CASES”（周波数間事例のための隣接セルＴＤＤ構成）という題名を有し、その全体が引用によってここに組み入れられている米国仮特許出願一連番号第６１／１４２，５７４号（出願日：２００９年１月５日）の利益を主張するものである。
【０００２】
以下の説明は、概して、無線通信に関するものである。以下の説明は、より具体的には、無線ネットワークの隣接セルのための周波数間タイミングの取得を容易にすることに関するものである。
【背景技術】
【０００３】
様々なタイプの通信コンテンツ、例えば音声コンテンツ、データコンテンツ、等、を提供することを目的として無線通信システムが広範囲にわたって配備されている。典型的な無線通信システムは、利用可能なシステムリソース（例えば、帯域幅、送信電力、等）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、等を含むことができる。さらに、これらのシステムは、例えば、第３世代パートナーシッププロジェクト（３ＧＰＰ）、３ＧＰＰロングタームエボリューション（ｌｏｎｇ  ｔｅｒｍ  ｅｖｏｌｕｔｉｏｎ）（ＬＴＥ）、ウルトラモバイルブロードバンド（ｕｌｔｒａ  ｍｏｂｉｌｅ  ｂｒｏａｄｂａｎｄ）（ＵＭＢ）、又は多搬送波無線仕様、例えば、エボリューションデータオプティマイズド（ｅｖｏｌｕｔｉｏｎ  ｄａｔａ  ｏｐｔｉｍｉｚｅｄ）（ＥＶ−ＤＯ）、それらの１つ以上の改訂版、等、の仕様に準じることができる。
【０００４】
概して、無線多元接続通信システムは、複数のモバイルデバイスのための通信を同時にサポートすることができる。各モバイルデバイスは、順方向リンク及び逆方向リンクにおける送信を介して１つ以上の基地局と通信することができる。順方向リンク（又はダウンリンク）は、基地局からモバイルデバイスへの通信リンクを意味し、逆方向リンク（又はアップリンク）は、モバイルデバイスから基地局への通信リンクを意味する。さらに、モバイルデバイスと基地局との間の通信は、単入力単出力（ＳＩＳＯ）システム、多入力単出力（ＭＩＳＯ）システム、多入力多出力（ＭＩＭＯ）システム、等を介して確立することができる。
【０００５】
無線通信全般、そして特に時分割複信（ＴＤＤ）多重化技術を用いる無線システム、に関しては、信号タイミングがデータの成功裏の送信及び受信の１つの重要な側面である。無線信号は、複数の時間サブフレームを備える複数の時間フレームに概して分割される。ＴＤＤにおいては、時間フレームは、アップリンク（ＵＬ）送信又はダウンリンク（ＤＬ）送信のために指定することができる。これは、干渉を軽減するために順番に基づく（ｔｕｒｎ−ｂａｓｅｄ）無線送信及び受信のための公然のメカニズム（ｏｖｅｒｔ  ｍｅｃｈａｎｉｓｍ）を提供する。さらに、正確なタイミングが、無線信号を成功裏にデマッピング及び復調する上での重要な一部であり、特定の時間にどのシンボルが予想されるかを知らなければ、状況に依存して、適切な無線受信は困難又は不可能である可能性がある。
【０００６】
典型的な無線機構においては、無線受信機は、とりわけ、基本の信号タイミング構成（ｔｉｍｉｎｇ  ｃｏｎｆｉｇｕｒａｔｉｏｎ）を確立するために無線基地局の受信されたパイロット信号を解析することができる。この信号タイミング構成は、例えば、信号フレーム及びサブフレームの継続時間と、それらの開始及び停止時間と、を備えることができる。しかしながら、この測定は、幾つかの送信機の範囲内にあるとき及び幾つかのパイロット信号を受信する場合に特に、プロセッサ集中型であることができる。永久的な電源に接続されていないモバイルデバイスに関して特に、処理オーバーヘッド及び電力消費を最小にすることは、電池寿命を延ばすことを目的とする不変の最終目標である。
【０００７】
新しいネットワークに入り次第、無線受信機は、典型的に、基地局又はネットワークアアクセスポイントとの制御通信を開始するために少なくとも１つのそれのタイミング解析を行わなければならない。幾つかの例外が存在することができる（例えば、端末が既知の位置に所在しており及びその位置内の基地局のためのタイミング構成で予め構成されている場合）が、セルラーネットワーク及び多くのその他の無線ネットワークに関しては、これは共通の手順である。１つの基地局（例えば、サービング基地局）との初期のタイミング及び取得が達成された時点で、アクセス端末は、サービング基地局及び同じタイミング構成を利用する隣接基地局との通信のためのタイミング構成を引き続き用いることができる。しかしながら、隣接基地局間で異なるタイミング構成が用いられる場合は、隣接基地局にハンドオフするために、又は隣接基地局の信号を復号するためにさらなる処理が要求されることがある。移動時（例えば、車を運転時）に特に、１つのネットワークセルから他に移動することは、１つのセルから他へのネットワークタイミングが取得されるのに従って有意なオーバーヘッドを加える可能性がある。
【発明の概要】
【０００８】
以下は、１つ以上の態様についての基本的な理解を提供することを目的として該態様の単純化された概要を示すものである。この概要は、すべての企図される態様の広範な概略ではなく、また全態様の主要な又は非常に重要な要素を特定するものではなく、さらにいずれかの態様又は全態様の適用範囲を詳述するものでもない。それの唯一の目的は、後述されるより詳細な発明を実施するための形態の準備段階として、本開示の１つ以上の態様の幾つかの概念を簡略化された形で提示することである。
【０００９】
本開示は、無線通信における周波数間タイミングの提供を行うものである。無線ネットワークのセルは、付近の無線セルによって用いられるサブフレームタイミング構成に関する情報を取得するように構成することができ、取得するセルと異なる周波数を用いるセルを含む。サブフレームタイミング構成は、隣接信号の適切な受信を容易にするために、取得するセルによってサービスが提供されるアクセス端末に転送することができ、異なる周波数を用いる場合を含む。サブフレームタイミング構成を搬送するために様々なフォーマットがここにおいて開示され、隣接セルのタイミング構成を取得するセルのタイミング構成と比較する単ビットフォーマットと、隣接セルのタイミング構成のためのある範囲の関連情報を明示する（ｓｐｅｃｉｆｙ）か又は該セルのための完全なサブフレーム構成を明示する多ビットフォーマットと、を含む。
【００１０】
本開示のさらなる態様により、ここにおいて提供されるＩＥを受信するアクセス端末は、非サービング（ｎｏｎ−ｓｅｒｖｉｎｇ）周波数のためのサブフレームタイミング構成を得ることと関係させてメッセージを解析することができる。ＩＥに含まれる情報に基づき、アクセス端末は適宜応答することができる。例えば、サブフレームタイミング構成がＩＥによって明示又は黙示される場合は、アクセス端末は、明示された／インピュート（ｉｍｐｕｔｅ）された構成を単純に使用し、非サービング周波数でのタイミング測定を回避することができる。非サービング周波数の異なるセルによってタイミング構成間の関係が用いられる場合は、アクセス端末は、１つ以上のタイミング測定を用いること及びそれらの結果をその他の該セルにインピュートすることができる。タイミングの関係又は明示が提供されない場合は、アクセス端末は、デフォルトとして各々のセルを独立して測定することができる。
【００１１】
本開示のさらなる態様により、無線通信方法が提供される。方法は、第１の時分割複信（ＴＤＤ）周波数を用いる無線ネットワークのアクセスポイントのためのＴＤＤタイミング構成を得るための通信インタフェースを用いることを備えることができる。さらに、方法は、第２のＴＤＤ周波数を用いる無線ネットワークのサービングセルを介して周波数間ＴＤＤタイミングデータを提供するように構成された命令を実行するためのデータプロセッサを用いることを備えることができる。特に、命令は、ＴＤＤタイミング構成に関する情報を明示する１つ以上のメッセージフィールドを備える情報要素（ＩＥ）を確立することと、１つ以上のアクセス端末への配送のために第２のＴＤＤ周波数を利用して無線エアインタフェースでＩＥを転送すること、とを含む。
【００１２】
さらにその他の態様においては、無線通信のための装置が提供される。装置は、無線ネットワーク内の周波数間セルによって用いられるサブフレームタイミング情報を得る通信インタフェースを備えることができる。さらに、装置は、ネットワークタイミングを用いてアクセス端末を更新するように構成されたモジュールを実行するためのデータプロセッサを備えることができる。これらのモジュールは、サブフレームタイミング情報に関する情報を含めるための１つ以上のメッセージフィールドを備えるＩＥを生成する変換モジュールを含むことができる。さらに、モジュールは、装置によって用いられる無線送信機によってアクセス端末にエアインタフェースを通じてＩＥを送信するための配送モジュールを含むことができる。上記に加えて、装置は、モジュールを格納するためのメモリを備えることができる。
【００１３】
追加の態様においては、無線通信のために構成された装置が提供される。装置は、第１のＴＤＤ周波数を用いる無線ネットワークのアクセスポイントのためのＴＤＤタイミング構成を得るための通信インタフェースを用いるための手段を備えることができる。さらに、装置は、第２のＴＤＤ周波数を用いる無線ネットワークのサービングセルを介して周波数間ＴＤＤタイミングデータを提供するように構成されたプログラムモジュールを実行するためのデータプロセッサを用いるための手段を備えることができる。具体的には、これらのプログラムモジュールは、ＴＤＤタイミング構成に関する情報を明示する１組のメッセージフィールドを備えるＩＥを確立するための手段と、サービングセル内のアクセス端末に第２のＴＤＤ周波数を利用してＩＥを転送するための手段と、を備えることができる。
【００１４】
上記に加えて、無線通信のために構成された少なくとも１つのプロセッサが開示される。プロセッサは、第１のＴＤＤ周波数を用いる無線ネットワークのアクセスポイントのためのＴＤＤタイミング構成を得るモジュールを備えることができる。さらに、プロセッサは、ＴＤＤタイミング構成に関する情報を明示する１組のメッセージフィールドを備えるＩＥを確立するモジュールを備えることができる。上記に加えて、プロセッサは、第２のＴＤＤ周波数を用いる無線ネットワークのサービングセル内のアクセス端末にＩＥを転送するモジュールを備えることができる。
【００１５】
他の態様においては、本開示は、コンピュータによって読み取り可能な媒体を備えるコンピュータプログラム製品を提供する。コンピュータによって読み取り可能な媒体は、第１のＴＤＤ周波数を用いる無線ネットワークのアクセスポイントのためのＴＤＤタイミング構成を得ることをコンピュータに行わせるための符号を備えることができる。さらに、コンピュータによって読み取り可能な媒体は、ＴＤＤタイミング構成に関する情報を明示する１組のメッセージフィールドを備えるＩＥを確立することをコンピュータに行わせるための符号を備えることができる。コンピュータによって読み取り可能な媒体は、第２のＴＤＤ周波数を用いる無線ネットワークのサービングセル内のアクセス端末にＩＥを転送することをコンピュータに行わせるための符号を備えることもできる。
【００１６】
本開示のその他の態様により、無線通信に従事する方法が提供される。方法は、無線ネットワークの複数の周波数に関するタイミング情報を入手するための無線通信インタフェースを用いることを備えることができる。さらに、方法は、無線ネットワークのセルのための周波数間タイミングデータを決定するように構成された命令を実行するためのデータプロセッサを用いることを備えることができる。特に、命令は、無線ネットワークの非サービングセルに関するタイミングデータを識別するためにタイミング情報を構文解析することと、タイミングデータを解析して非サービングセルのサブフレーム構成を得る又は推測すること、とを備えることができる。
【００１７】
他の態様においては、無線通信に従事するために構成された装置がここにおいて開示される。装置は、無線ネットワークの複数のセルと通信するために無線ネットワークの複数のＴＤＤ周波数を用いる無線通信インタフェースを備えることができる。さらに、装置は、ネットワークタイミング構成を得るように構成されたモジュールを格納するためのメモリと、モジュールを実行するための少なくとも１つのデータプロセッサと、を備えることができる。これらのモジュールは、無線ネットワークの非サービング周波数に関するサブフレーム構成データを識別するために無線ネットワークのサービングセルから無線通信インタフェースによって得られたタイミングデータを検査する解析モジュールを備えることができる。さらに、モジュールは、非サービング周波数の信号を解析するためにそれを用いるネットワークセルによって利用されるサブフレーム構成を用いる実装モジュールを備えることができる。
【００１８】
さらに他の態様においては、無線通信に参加するための装置が開示される。装置は、無線ネットワークの非サービング周波数に関するタイミング情報を得るための無線通信インタフェースを用いるための手段を備えることができる。さらに、装置は、無線通信ネットワークのセルのために周波数間タイミングデータを決定するように構成されたプログラムモジュールを実行するためのデータプロセッサを用いるための手段を備えることができる。さらに、プログラムモジュールは、非サービング周波数に関するサブフレーム構成データを識別するためにタイミング情報を検査するための手段と、非サービング周波数の信号を解析するためにそれを用いるネットワークセルによって利用されるサブフレーム構成を用いるための手段と、を備えることができる。
【００１９】
さらにその他の態様においては、無線通信に参加するための少なくとも１つのプロセッサが提供される。プロセッサは、無線ネットワークの非サービング周波数に関するタイミング情報を得るためのモジュールを備えることができる。さらに、プロセッサは、非サービング周波数に関するサブフレーム構成データを識別するためにタイミング情報を検査するためのモジュールを備えることができる。上記に加えて、プロセッサは、非サービング周波数の信号を解析するためにそれを用いるネットワークセルによって利用されるサブフレーム構成を用いるためのモジュールと、を備えることができる。
【００２０】
少なくとも１つのさらなる態様により、本開示は、コンピュータによって読み取り可能な媒体を備えるコンピュータプログラム製品を説明する。コンピュータによって読み取り可能な媒体は、無線ネットワークの非サービング周波数に関するタイミング情報を得ることをコンピュータに行わせるための符号を備えることができる。さらに、コンピュータによって読み取り可能な媒体は、非サービング周波数に関するサブフレーム構成データを識別するためにタイミング情報を検査することをコンピュータに行わせるための符号を備えることができる。上記に加えて、コンピュータによって読み取り可能な媒体は、非サービング周波数の信号を解析するためにそれを用いるネットワークセルによって利用されるサブフレーム構成を用いることをコンピュータに行わせるための符号を備えることができる。
【図面の簡単な説明】
【００２１】
【図１】本開示の態様による周波数間タイミング装置例のブロック図を示す。
【図２】さらなる開示される態様による周波数間タイミング装置例のブロック図を示す。
【図３】周波数間タイミングの取得を容易にするためのセル別及び周波数別のタイミング記録例のブロック図を示す。
【図４】多周波数無線通信ネットワークのためのタイミング構成マトリクス例のブロック図を示す。
【図５】特定の態様による周波数間無線環境例のブロック図を示す。
【図６】１つ以上のその他の態様による周波数間タイミングの提供のために構成された基地局例のブロック図を示す。
【図７】さらなる態様による周波数間タイミングの取得のために構成されたアクセス端末例のブロック図を示す。
【図８】無線通信における周波数間タイミングの提供のための方法例のフローチャートを示す。
【図９】さらなるその他の態様による周波数間タイミングの取得を容易にするための方法例のフローチャートを示す。
【図１０】多周波数無線環境においてタイミング構成を取得するための方法例のフローチャートを示す。
【図１１】さらなる態様による周波数間タイミングの取得を簡略化するための方法例のフローチャートを示す。
【図１２】タイミングの取得を容易にする及び実装するための電子又はコンピュータ処理デバイスのブロック図を示す。
【図１３】タイミングの取得を容易にする及び実装するための電子又はコンピュータ処理デバイスのブロック図を示す。
【図１４】本開示の様々な態様を実装する際に用いられる無線通信装置例のブロック図を示す。
【図１５】さらなる態様による無線通信のためのセルラー環境例のブロック図を示す。
【図１６】無線通信のための無線シグナリング環境例のブロック図を示す。
【発明を実施するための形態】
【００２２】
ここでは、図面を参照して様々な態様が説明され、全体にわたって同様の要素を参照するために同様の参照数字が用いられる。以下の説明においては、説明する目的上、１つ以上の態様についての徹底的な理解を提供するために数多くの具体的な詳細が示される。しかしながら、該態様は、これらの具体的な詳細なしに実践可能であることが明確であることができる。その他の例においては、よく知られた構造及びデバイスは、１つ以上の態様を説明するのを容易にするためにブロック図形で示される。
【００２３】
さらに、本開示の様々な態様が以下において説明される。ここにおける教示は、非常に様々な形で具現化可能であること及びここにおいて開示されるいずれの特定の構造及び／又は機能も単なる代表例であるにすぎないことが明らかなはずである。ここにおける教示に基づき、ここにおいて開示される態様はあらゆるその他の態様と独立して実装可能であること及びこれらの態様のうちの２つ以上を様々な方法で組み合わせることが可能であることを当業者は評価すべきである。例えば、ここにおいて詳述される態様のうちのあらゆる数を用いて装置を実装することができ及び／又は方法を実践することができる。さらに、ここにおいて詳述される態様のうちの１つ以上に加えての又はここにおいて詳述される態様のうちの１つ以上以外のその他の構造及び／又は機能を用いて装置を実装すること及び／又は方法を実践することができる。一例として、ここにおいて説明される方法、デバイス、システム及び装置の多くは、多線周波数無線環境において周波数間タイミング構成を取得することに関して説明される。当業者は、同様の技法をその他の通信環境に対して適用可能であることを評価すべきである。
【００２４】
無線通信システムは、ローカルインフラストラクチャの配備及びローカルインフラストラクチャ（例えば、基地局）を通信可能な形で結合する中央のネットワークを通じて遠隔に配置された無線ノード間での電子通信を達成させる。概して、ローカルインフラストラクチャは、これらのノードと無線情報をやり取りするために様々な原理を利用することができる。しかしながら、各事例は、無線ノードの送信機とローカルインフラストラクチャ又は基地局の受信機との間での、又はその逆の間での無線リンクを確立することに依存する。典型的には、無線リンクは、無線ノード及びローカルインフラストラクチャによって用いられる一組の直交無線リソース（例えば、周波数副帯域、時間サブスロット、符号拡散係数、等）を調整する送信機―受信機対を含む。直交無線リソースの組のみで信号を送信又は復号することによって、１つの無線リンク（送信機―受信機対によって用いられるリソースの組）で送信されたデータは、その他の無線リンク（その他の送信機―受信機対によって用いられるリソースの組）で送信されたデータと区別することができる。さらに、別個の無線リンク形態を用いる各送信機―受信機対は、無線チャネル、又は信号次元とも呼ばれる別個の空間チャネルを形成する。
【００２５】
タイミングの取得は、無線送信された情報を受信及び適切に処理する１つの態様である。無線受信機は、アンテナによって得られた無線信号をデマッピング及び復調するために既知のサブフレームタイミング構成を典型的に用いる。必要な場合は、無線受信機と関連づけられたハードウェア又はソフトウェアは、基本的なタイミング構成を得るために送信されたパイロット信号を解析することができる。この基本的なタイミング構成は、デバイスが送信デバイスとの無線リンクを形成すること、及び無線通信を容易にすることに関するさらなる詳細（例えば、スケジューリング情報、リソース区分情報、アップリンク及びダウンリンクタイミング、等）を得ることを可能にする。
【００２６】
無線ネットワークにおいて、隣接セル又は基地局は、異なるサブフレームタイミング構成を用いることができる。さらに、時分割複信（ＴＤＤ）無線システムに関しては、隣接セルは、各々の無線信号のための異なる周波数帯域幅を用いることもできる。従来のシステムにおいては、共通の周波数を用いる隣接セルのタイミング情報を、特定のセルによってサービスが提供されるアクセス端末に提供することができる。しかしながら、異なる周波数を用いる隣接セルに関しては、該提供は行われない。従って、アクセス端末は、各周波数を用いるセルのために独立したタイミング解析を行うことが要求される。この要求は、アクセス端末にとっての追加の処理オーバーヘッドに結びつき、電力消費量を増大させ及び電池寿命を短くすることになる。本開示の幾つかの態様においては、周波数間タイミング情報は、処理オーバーヘッドの少なくとも一部を軽減するためにネットワークセルによって提供される。その他の態様においては、周波数間タイミング情報は、既存の無線規格（例えば、第３世代パートナーシッププロジェクト［３ＧＰＰ］ロングタームエボリューション［ＬＴＥ］ＴＤＤ規格）の変更を限定するように構成される。さらにその他の態様においては、様々な周波数間セルの独立した測定を行う必要性を軽減する一方で周波数間タイミング情報を解釈するための追加の論理がアクセス端末のために提供される。
【００２７】
今度は図を参照し、図１は、無線ネットワークの周波数間セルのためのタイミング情報を提供するシステム例１００のブロック図を示す。ここにおいて利用される場合において、用語周波数間セルは、特定のアクセス端末にサービスを提供するセルと異なる周波数を用いる無線ネットワークのセルを意味する。少なくとも幾つかの態様においては、システム１００は、ネットワーク基地局の一部として実装することができる。その他の態様においては、システム１００は、無線リピータ又はリレー局の一部として実装することができる。少なくとも１つのその他の態様により、システム１００は、中央位置において無線ネットワークの複数のセルのためのタイミングの提供を管理するために集中型基地局コントローラ（ＢＳＣ）と連携して実装することができる。
【００２８】
システム１００は、１つ以上の無線トランシーバ１１６と結合された周波数間タイミング装置１０２を備える。無線トランシーバ１１６は、１つの特定例として、基地局、リピータ又はリレーの送信及び受信チェーンを備えることができる。他の例として、無線トランシーバ１１６は、周波数間タイミング装置１０２に直接結合すること、及び該基地局、リピータ又はリレーと切り離すことができる。いずれの場合においても、無線トランシーバ１１６は、周波数間タイミング装置１０２の通信インタフェース１０４から得られる又は周波数間タイミング装置１０２の通信インタフェース１０４に提供される無線信号をそれぞれ送信及び受信するために動作可能である。受信された信号は、通信インタフェース１０４によって処理すること及びメモリ１０８に格納することができる。特に、この処理は、信号フィルタリング、シンボルのデマッピングと復調、又はそれらの適切な組み合わせを備えることができる（例えば、以下の図１４を参照）。
【００２９】
描かれていないが、通信インタフェース１０４は、１つ以上のネットワークセル（例えば、基地局、リレー、リピータ、等）をリンクするバックホール通信ネットワークに結合することもできる。例えば、このバックホールネットワークは、（例えば、周波数間タイミング装置１０２に結合された基地局又はサービングセル及び周波数間セル）を通信可能な形で結合する有線電子通信ネットワーク又は（無線トランシーバ１１６を含む）無線電子通信ネットワークであることができる。バックホール通信ネットワークを通じて、通信インタフェース１０４は、周波数間セルからタイミング構成情報を取得することができる。さらに、通信インタフェース１０４は、基地局によって用いられるタイミング情報を該セルに搬送するために無線バックホールを用いることができる。
【００３０】
中央制御実装の場合は、周波数間タイミング装置１０２と関連づけられた一組のネットワークセルのうちのいずれか１つをサービングセルとして指定することができ、サービングネットワークセルと異なる無線周波数又は帯域幅を利用するその他のネットワークセルは、周波数間セルと呼ばれる。サービングネットワークセルと同じ周波数又は帯域幅を用いるネットワークセルは、周波数内セルと呼ばれる。代替態様により、サービングネットワークセルの指定は、ここにおいて説明されるタイミング情報の提供が（例えば、特定のアクセス端末のために）周波数間タイミング装置１０２によって現在処理中であるときの対象となる現在のセルを指すことができる。この後者の場合において、タイミング情報を提供するセルは、非サービングネットワークセルと呼ばれる。この指定は、その他の該セルの追加処理のために適宜変更することができる。
【００３１】
少なくとも１つの特定の態様において、通信インタフェース１０４は、無線ネットワーク内の周波数間セルによって用いられるサブフレームタイミング情報を得る。この場合は、周波数間セルは、第１のＴＤＤ周波数を用い、サービングセルは、第２のＴＤＤ周波数を用い、ここで、第１及び第２の周波数は異なる。いったん得られた時点で、このサブフレームタイミング情報は、通信インタフェース１０４によって処理すること及びメモリ１０８に格納すること（又は任意選択で、追加処理のために１つ以上のデータプロセッサ１０６に直接提供すること）ができる。データプロセッサ１０６は、非サービング周波数（例えば、第２のＴＤＤ周波数と異なる第１のＴＤＤ周波数又は他のＴＤＤ周波数）を用いるネットワークセルのネットワークタイミングを用いてアクセス端末（描かれていない）を更新するように構成されたモジュールを実行するために提供される。特に、モジュールは、サブフレームタイミング構成に関する情報を含む情報要素（ＩＥ）１１２を生成する変換モジュール１１０を備えることができる。さらに、モジュールは、周波数間タイミング装置（例えば、無線トランシーバ１１６）によって用いられる無線送信機を通じてアクセス端末にＩＥ１１２を送信するための配送モジュール１１４を備えることができる。
【００３２】
ここで利用される場合において、用語ＩＥは、無線メッセージの構成要素を意味する。従って、ＩＥは、ＩＥを含むメッセージと呼ぶこともできる。特に、ＩＥは、情報を搬送するための一組のメッセージフィールドを備えることができる。搬送される情報のタイプは、本開示の様々な箇所においてより詳細に説明される。
【００３３】
本開示の特定の態様により、ＩＥ１１２は、周波数間セルのサブフレームタイミング構成に関する様々な情報を搬送する１つ以上の異なるフォーマットであることができる。一態様においては、ＩＥは、従来の無線規格に対して最小限の変更を行うだけで有用なタイミング情報を搬送する単ビットフォーマットである。その他の態様においては、ＩＥは、より詳細な情報を搬送するが追加の該変更を伴う多ビットフォーマットである。単ビットフォーマットに関しては、ＩＥ１１２は、サブフレームタイミング構成がアクセス端末と関連づけられたサービングセルによって用いられるサービングサブフレームタイミング構成と同じ又は異なることを示す。該場合においては、アクセス端末は、ＩＥ１１２を受信及び解析し、その解析に基づいて周波数間セルが同じ又は異なるサブフレームタイミング構成を用いるかを決定することができる。同じサブフレームタイミング構成が用いられる場合は、アクセス端末は、周波数間セルのタイミングを独立して測定するのを回避することができる。そうでない場合は、サブフレームタイミング構成が測定される。単ビットフォーマットに関しては、少なくとも幾つかのアクセス端末タイミング測定を不要にすることができる。
【００３４】
多ビットフォーマットに関しては、ＩＥ１１２は、周波数間セルのサブフレームタイミング構成に関する情報の異なる粒度（ｇｒａｎｕｌａｒｉｔｙ）を提供するように構成することができる。少なくとも１つの態様においては、多ビットフォーマットは、周波数間セルによって用いられる完全なサブフレームタイミング構成を明示するように構成することができる。この態様においては、アクセス端末は、少なくとも特定の周波数間セルに関しては、タイミング測定をまったく回避することができる。この態様は、先行規格からの最大の逸脱を含む。他の態様においては、多ビットフォーマットは、周波数間セルとサービングセルのタイミング構成との間の次の３つの関係のうちのいずれか１つ（ここで、周波数間セルは、第１のＴＤＤ周波数を用い、サービングセルは、第２のＴＤＤ周波数を用いる）、すなわち、第１に、第１のＴＤＤ周波数を用いる無線ネットワークのセルは、サービングセルのサービングサブフレーム構成を利用する、第２に、第１のＴＤＤ周波数を用いる無線ネットワークのセルは、サービングサブフレーム構成と異なる共通のサブフレーム構成を利用する、又は、第３に、第１のＴＤＤ周波数を用いる無線ネットワークのセルは、様々なサブフレーム構成のうちの１つを同じく用いる、を示すように構成することができる。ＩＥ１１２が第１の関係を明示する場合は、アクセス端末は、サービングセルのサブフレーム構成を利用し、追加のタイミング測定を回避することができる。ＩＥ１１２が第２の関係を明示する場合は、アクセス端末は、周波数間セルのサブフレームタイミング構成を取得するための単一の測定を行い、その周波数を用いるすべてのその他のネットワークにそのタイミング情報をインピュートすることができる。第３の関係に関しては、アクセス端末は、非サービング周波数の各セルのためにサブフレームタイミング構成情報を独立して測定する。しかしながら、最初の２つの関係に関しては、多周波数無線ネットワークにおいて動作中のアクセス端末に関して幾つかの又はすべてのタイミング測定を回避し、平均の処理及び電力消費を低減させることができる。
【００３５】
図２は、本開示のさらなる態様によるシステム例２００のブロック図を示す。システム２００は、データストア２１６と通信可能な形で結合された周波数間タイミング装置２０２を備える。データストア２１６は、揮発性キッシュメモリと同じように単純であることができ、又は非揮発性メモリ（例えば、ディスクドライブ、ハードドライブ、コンパクトディスク、フラッシュメモリ、等）を備えることができる。さらに、システム２００は、周波数間タイミング装置１０２と同様の方法で実装できることが評価されるべきである。例えば、特定のネットワークセル、又はネットワークセルのグループを制御するＢＳＣ、と関係させて。
【００３６】
周波数間タイミング装置２０２は、無線ネットワークの１つ以上の非サービング周波数を用いる一組の非サービングセルに関するサブフレームタイミング情報を得る通信インタフェース２０４を備えることができる。一組のデータプロセッサ２０６は、サブフレームタイミング情報を解析し、システム２００と関連づけられたサービングセル内のサブフレームタイミング情報に関するデータを搬送する情報要素を生成及び転送するためにメモリ２０８に格納されたモジュールを実行することができる。特に、これらのモジュールは、変換モジュール２１０と配送モジュール２１２とを備えることができ、それらは、上記の図１の変換モジュール１１０及び変換モジュール１１４と実質的に同様であることができる。
【００３７】
上記に加えて、周波数間タイミング装置２０２は、リスティング（ｌｉｓｔｉｎｇ）モジュール２１４を備えることができる。リスティングモジュール２１４は、セル別又は周波数別に、通信インタフェース１０４から得られた無線ネットワークの一組の隣接セルのためのサブフレーム構成データをコンパイルする（例えば、上記の図３を参照）。具体的には、隣接セルの組は、周波数間セルと、無線ネットワークの少なくとも１つのその他のセルと、を備える。リスティングモジュール２１４は、報告ネットワークセルの機能（ｆｕｎｃｔｉｏｎ）として、又は各々のセル、又はそれらの適切な組み合わせによって用いられる周波数の関数として、コンパイルされたサブフレーム構成データを構文解析することができる。従って、例えば、セル別タイミング情報は、データストア２１６においてセル別タイミングファイル２１８に格納することができる。さらに、周波数別タイミング情報は、データストア２１６において周波数別タイミングファイル２２０に格納することができる。本開示の少なくとも１つの態様においては、リスティングモジュール２１４は、一組のＩＥを備えるコンパイルされたサブフレーム構成データから隣接セルリストを生成する。これで、ＩＥの組は、隣接セルの組の中の１つのためのコンパイルされたサブフレーム構成データの各々の部分組を明示するために各々構成することができる。代替においては、又は追加で、ＩＥは、無線ネットワークによって用いられる一組のＴＤＤ周波数のうちの１つのためのコンパイルされたサブフレーム構成データのために各々の部分組を明示するために各々構成することができる。それの特定の態様においては、隣接セルリストは、無線ネットワークのセル別及びＴＤＤ周波数別のサブフレームタイミング情報を明示するタイミングマトリクスを備えることができる（例えば、下記の図４を参照）。代替として、タイミングマトリクスは、特定のＴＤＤ周波数を用いる全ネットワークセルのための共通のサブフレームタイミング構成データを明示することができ、ただし、その特定のＴＤＤ周波数の特定のセルに関して異なるサブフレームタイミング構成データが明示される場合を除く。いずれの場合においても、隣接セルリストは、データストア２１６においてタイミングマトリクスファイル２２２に格納することができる。
【００３８】
上記に加えて、配送モジュール２１２は、システム２００と関連づけられたサービングセル（描かれていない）内の１つ以上のアクセス端末に隣接セルリストを送信することができる。一態様においては、配送モジュール２１２は、測定構成ユニキャストチャネルでアクセス端末に隣接セルリストを送信する。他の態様においては、配送モジュール２１２は、システム情報ブロードキャストチャネルで、アクセス端末、又はアクセス端末のグループに隣接セルリストを送信する。特定の態様においては、隣接セルリストは、システム情報ブロードキャストチャネルでアクセス端末のグループに送信することができ、特定のセル別又は周波数別のサブフレームタイミング構成データは、測定構成ユニキャストチャネルで特定のアクセス端末に適宜送信することができる。
【００３９】
図３は、本開示の態様によるサブフレームタイミング構成フォーマット例３００Ａ、３００Ｂのブロック図を示す。第１のサブフレームタイミング構成フォーマット３００Ａが提供され、無線ネットワークのＴＤＤ周波数別に構成されたタイミングデータを備える。特に、一組の該ＴＤＤ周波数、周波数１３０２Ａ、周波数２３０４Ａ．．．周波数Ｎ３０６Ａ（総称して３０２Ａ乃至３０６Ａと呼ばれる）のうちの各々のＴＤＤ周波数は、該周波数３０２Ａ乃至３０６Ａに関するサブフレームタイミングデータとリンクされ、ここで、Ｎは、１よりも大きい正の整数である。幾つかの態様においては、サブフレームタイミングデータは、サービング周波数と各々のＴＤＤ周波数３０２Ａ乃至３０６Ａのうちの１つとの間の関係を備える。例えば、その関係は、ＴＤＤ周波数３０２Ａ乃至３０６Ａのうちの１つがサービング周波数と同じサブフレームタイミング構成、又はサービング周波数と異なる周波数、を利用することを明示することができる。他の例として、その関係は、ＴＤＤ周波数３０２Ａ乃至３０６Ａのうちの１つを用いる全セルがサービング周波数と異なるサブフレームタイミング構成を共通して利用すること、その周波数を用いる全セルがサービング周波数と同じサブフレームタイミング構成を利用すること、又はその周波数を用いるセルが一組のサブフレームタイミング構成のうちの１つを利用することを明示することができる。さらに他の例として、各々のＴＤＤ周波数３０２Ａ乃至３０６Ａのための各々のタイミングデータは、その周波数を用いるセルのための完全なサブフレームタイミング構成を含むことができる。
【００４０】
第２のタイミング構成フォーマット３００Ｂは、無線ネットワークのセル別に構成されたタイミングデータを備える。第２のタイミング構成フォーマット３００Ｂは、一組のネットワークセル、ネットワークセル１３０２Ｂ、ネットワークセル２３０４Ｂ、．．．、ネットワークセルＮ３０６Ｂ（総称して３０２Ｂ乃至３０６Ｂと呼ばれる）の各々のための各々のタイミングデータを備える。各々のネットワークセル３０２Ｂ乃至３０６Ｂのためのタイミングデータは、ＴＤＤ周波数３０２Ａ乃至３０６Ａに関する上記のデータフォーマットのうちのいずれかであることができ、又は、ネットワークセル３０２Ｂ乃至３０６Ｂのうちの１つ以上によって用いられるサブフレームタイミング構成に関する情報を提供するための他の適切なデータフォーマット、であることができる。特に、タイミングデータは、少なくとも１つの例においては、ネットワークセル（例えば、ネットワークセル３０２Ｂ）のための完全なサブフレームタイミング構成を明示するフォーマットであることができる。他の例においては、フォーマットは、既知のサブフレームタイミング構成、デフォルトのサブフレームタイミング構成、又はサービングサブフレームタイミング構成、等、又はそれらの適切な組み合わせ、に関するネットワークセル（例えば、３０４Ｂ、３０６Ｂ）のためのタイミング情報を明示することができる。前者の場合においては、第２のタイミング構成フォーマット３００Ｂを解析するアクセス端末は、ネットワークセル３０２Ｂの信号を復号時にそのセルのために明示された完全なタイミング構成を利用してタイミング測定を完全に回避することができる。後者の場合においては、明示されたタイミング情報は、平均して、既知のサブフレーム又はデフォルトのサブフレームタイミング構成との何らかの関係を示すことによって、ネットワークセル３０４Ｂ、３０６Ｂの信号を復号するためのタイミング測定数を減らすことができる。従って、例えば、ネットワークセル３０４Ｂ、３０６Ｂが既知の又はデフォルトのサブフレームタイミング構成と同じタイミング構成を用いることをタイミングデータが示す場合は、アクセス端末は、ネットワークセル３０４Ｂ、３０６Ｂの信号を復号するときにタイミング測定を回避することができる。他方、ネットワークセル３０４Ｂがデフォルトのサブフレームタイミング構成を用い、ネットワークセル３０６Ｂが既知の／デフォルトのタイミング構成を用いないことをタイミングデータが示す場合は、アクセス端末は、ネットワークセル３０６Ｂのためのタイミング測定を行うこと、及びネットワークセル３０４Ｂのためのタイミング測定を回避することができ、以下同様である。
【００４１】
図４は、本開示のさらなる態様によるタイミングマトリクス例４００のブロック図を示す。タイミングマトリクス４００は、一組の無線ネットワーク周波数、周波数１４０２、．．．、周波数Ｎ４０４（総称して４０２乃至４０４と呼ばれる）のための、又は、一組の無線ネットワークセル、ネットワークセル１４０６、ネットワークセル２４０８、．．．、ネットワークセルＮ−１４１０、ネットワークセルＮ４１２（総称して４０６乃至４１２）のための、又は両方のためのタイミングデータを含むことができる。概して、タイミングマトリクス４００は、ここにおいて説明されるようにサブフレームタイミング構成データを明示する。例えば、タイミング構成データの入手可能性に依存して、異なるネットワークセル４０６乃至４１２、又は異なるネットワーク周波数４０２乃至４０４に関して該データの異なるフォーマットを提供することができる。幾つかの場合においては、タイミング構成データが入手可能でない場合、又は該データが壊れている場合、等の場合には、特定の無線周波数４０２乃至４０４又はネットワークセル４０６乃至４１２に関してデータを明示することができない。
【００４２】
１つの特定の例として、タイミングマトリクス４００は、第１のＴＤＤ周波数４０２を用いるネットワークセル４０６乃至４０８のための共通の一組のタイミングデータを備える。このため、第１のＴＤＤ周波数４０２を用いる全ネットワークセル４０６乃至４０８のために単一の組のサブフレームタイミング構成データを明示することができる（例えば、タイミングデータ１―描かれてない）。代替として、該タイミング構成データは、第１のＴＤＤ周波数４０２を用いる各ネットワークセル４０６乃至４０８のために繰り返すことができる（例えば、タイミングデータ１，１及びタイミングデータＮ，１ー描かれている）。第２のＴＤＤ周波数４０４に関して、第２のＴＤＤ周波数４０４にとって概して共通するサブフレームタイミング構成データを、第２のＴＤＤ周波数４０４を用いる全ネットワークセル４１０乃至４１２のために１回明示することができる（例えば、タイミングデータＮ）。概して共通するタイミングデータＮと異なるサブフレームタイミング構成を有する第２のＴＤＤ周波数４０４を用いるネットワークセルは、個々に明示することができる。例えば、ネットワークセル２４０８は、第２のＴＤＤ周波数４０４によって用いられる概して共通するタイミングデータＮと異なることができるタイミングデータ２，Ｎと関連づけられる。従って、第２のＴＤＤ周波数４０４に関して、特定のネットワークセル（例えば、ネットワークセル２４０８）のために異なるタイミングデータ（例えば、タイミングデータ２，Ｎ）が明示されない限り、該周波数を用いるいずれのネットワークセル４１０乃至４１２に関してもタイミングデータＮが用いられると仮定することができる。
【００４３】
図５は、本開示の特定の態様による多周波数無線環境例５００のブロック図を示す。多周波数無線環境５００は、サービング周波数チャネル５０２Ａを通じて形成された無線リンクを介してサービングセル５０２と通信可能な形で結合されたユーザ装置（ＵＥ）５０４を備える。サービング周波数チャネル５０２Ａは、多周波数無線環境５００の第１のＴＤＤ周波数（サービング周波数とも呼ばれる）を用いる。サービング周波数チャネル５０２Ａは、ＵＥ５０４とサービングセル５０２との間でのデータの無線送信及び受信を可能にし、ネットワークタイミングに関する少なくとも制御又は測定データを含む。
【００４４】
さらに、サービングセル５０２は、周波数間タイミング装置５０６と結合されるか又は周波数間タイミング装置５０６を含む。周波数間タイミング装置５０６は、一組の非サービングセル５１４、５１６に関するタイミング情報を得るように構成することができる。この情報は、サービングセル５０２、又は非サービングセル５１４、５１６のうちの１つ以上を接続するバックホールネットワーク（描かれていない）によって多周波数無線環境５００の各々の基地局間で共有することができる。バックホールネットワークは、ここにおいて説明されるように、有線ネットワーク又は無線ネットワークであることができる。さらに、このタイミング情報は、セル別に又は周波数別に構文解析し、ＵＥ５０４に提供することができる。本開示の一態様においては、この提供は、サービングセル５０２の無線範囲内のその他のＵＥ（描かれていない）とともにＵＥ５０４にブロードキャストされるか、又はユニキャストチャネルでＵＥ５０４にユニキャストされる。１つの具体例として、周波数間タイミング装置５０６は、システム情報ブロードキャストチャネル、又は測定構成ユニキャストチャネル、又はそれらの適切な組み合わせで非サービングセル５１４、５１６又は該セルによって採用される非サービング周波数に関するタイミング情報を送信することができる。
【００４５】
非サービングセル５１４、５１６は、サービングセル５０２の無線範囲内にある、又はＵＥ５０４の無線範囲内にある、隣接するサービングセル５０２である、又はＵＥ５０４での適切な信号復号に関連する、多周波数無線環境５００のネットワークセルであることができる。特に、非サービングセル５１４及び非サービングセル５１６は、サービングセル５０２によって用いられる第１のＴＤＤ周波数と異なる無線ネットワーク周波数を用いる。例えば、非サービングセル５１４は、第２のＴＤＤ周波数を用いることができ、非サービングセル５１６は、第３のＴＤＤ周波数を用いることができる。
【００４６】
典型的な無線動作においては、ＵＥ５０４は、最強の又は最高の品質の信号を識別するために付近の無線基地局間で無線信号の強度又は品質を比較する。この比較は、例えば、１つの基地局から他への無線ハンドオフの決定のためにしばしば用いられる。さらに、ＵＥ５０４は、モバイル通信デバイス、例えば、携帯電話、パーソナルデジタルアシスタント（ＰＤＡ）、スマートフォン、又は何らかのその他の携帯式の電子通信デバイスであることがしばしばできる。従って、ＵＥ５０４がサービングセル５０２内において、又はサービングセル５０２と１つ以上の非サービングセル５１４、５１６との間で移動中であることは異例のことではない。従って、各々の信号の信号強度又は品質は変化する可能性がある。このため、ＵＥ５０４は、非サービング周波数チャネル１５１４Ａを通じて非サービングセル５１４から第２のＴＤＤ周波数で無線信号を受信することができる。同様に、ＵＥ５０４は、非サービング周波数チャネル２５１６Ａを通じて非サービングセル５１６から第３のＴＤＤ周波数で無線信号をさらに受信することができる。
【００４７】
受信された無線信号を適切に復号するために、ＵＥ５０４は、タイミング装置５０８を含むことができる。タイミング装置５０８は、サービングセル５０２によって送信されたタイミング構成データを得るように構成される。例えば、タイミング装置５０８は、多周波数無線環境５００のサービングセル５０２からＵＥ５０４の無線通信インタフェースによって得られたタイミングデータを検査する解析モジュール５１０を備えることができる。さらに、解析モジュール５１０は、多周波数無線環境５００の非サービング周波数、例えば、第２のＴＤＤ周波数又は第３のＴＤＤ周波数、に関するサブフレームタイミング構成データを識別することができる。一例として、解析モジュール５１０は、第２のＴＤＤ周波数を用いる非サービングセル５１４によって用いられる第１の非サービングサブフレームタイミング構成、又は第３のＴＤＤ周波数を用いる非サービングセル５１６によって用いられる第２のサブフレームタイミング構成を識別するためにデータを利用することができる。第１及び第２の非サービングサブフレームタイミング構成は、同じサブフレームタイミング構成又は異なるサブフレームタイミング構成であることができることが評価されるべきである。さらに、タイミング装置５０８は、（例えば、非サービング周波数チャネル１５１４Ａ又は非サービング周波数チャネル２５１６Ａを通じてそれぞれ送信された）非サービング周波数の信号を解析するためにそれを用いるネットワークセル（例えば、非サービングセル５１４、５１６）によって利用されるサブフレーム構成を用いる実装モジュール５１２を備えることができる。
【００４８】
本開示の一態様においては、周波数間タイミング装置５０６は、ＵＥ５０４に送信されるメッセージ内において完全な非サービングサブフレームタイミング構成を明示することができる。該場合においては、非サービングサブフレームタイミング構成は、非サービング周波数チャネル１５１４Ａ又は非サービング周波数チャネル２５１６Ａを通じて受信された信号を復号する際に直接用いることができる。そうでない場合は、タイミング構成データが、非サービングセル５１４又は非サービングセル５１６によって用いられる非サービングサブフレームタイミング構成と既知のサブフレームタイミング構成（例えば、デフォルト構成、サービングセル５０２によって用いられるサービングサブフレームタイミング構成、等）との間の関係を代わりに提供する場合は、タイミング装置は、非サービングサブフレームタイミング構成をこの関係から推測するのを試みることができる。非サービングサブフレームタイミング構成を得るための推測を行うことができない場合は、タイミング装置５０８は、非サービングサブフレームタイミング構成を直接得るために非サービング周波数チャネル１５１４Ａ又は非サービング周波数チャネル２５１６Ａを通じて受信された信号を代わりに測定することができる。この最後の選択肢は、概してよりプロセッサ集中型であり、より多くの電力を消費し、このため、非サービングサブフレームタイミング構成が明示されず及び周波数間タイミング装置５０６によって提供されたタイミングデータから推測されないときにしか利用されない。
【００４９】
図６は、本開示の特定の態様による基地局６０２を備えるシステム例６００のブロック図を示す。基地局６０２は、無線ネットワーク内のアクセス端末のための向上されたタイミングの提供を行うように構成することができる。特に、基地局６０２は、基地局６０２によって用いられるＴＤＤ周波数と異なるそれを用いる無線ネットワークのセルのための周波数間タイミングデータを提供するように構成することができる。向上されたタイミングの提供を行うことによって、基地局６０２は、異なるＴＤＤ周波数のための各々のタイミング構成を得るための直接的なタイミング測定の必要性を低減させることで、基地局６０２によってサービスが提供される１つ以上のアクセス端末（ＡＴ）６０４の電力消費を低減させることができる。
【００５０】
基地局６０２（例えば、アクセスポイント、等）は、１つ以上の受信アンテナ６０６を通じてＡＴ６０４から無線信号を得る受信機６１０と、変調器６２８によって提供された符号化／変調された無線信号を送信アンテナ６０８を通じてＡＴ６０４に送信する送信機６３０と、を備えることができる。受信アンテナ６０６及び送信アンテナ６０８は、受信機６１０及び送信機６３０とともに、基地局６０２とＡＴ６０４との間でデータをやり取りするための通信インタフェースを備えることができる。特に、通信インタフェースは、制御又は測定情報、例えば、周波数間サブフレームタイミング構成、をＡＴ６０４に提供するために用いることができる。
【００５１】
受信機６１０は、受信アンテナ６０６から情報を得ることができ及びＡＴ６０４によって送信されたアップリンクデータを受信する信号受信元（示されていない）をさらに備えることができる。さらに、受信機６１０は、受信された情報を復調する復調器６１２と動作可能な形で関連づけられる。復調されたシンボルは、データプロセッサ６１４によって解析される。データプロセッサ６１４は、基地局６０２によって提供又は実装される機能に関連する情報を格納するメモリ６１６に結合される。
【００５２】
上記に加えて、基地局６０２は、無線ネットワーク（示されていない）の１つ以上のその他の基地局のタイミングデータを得てそのタイミングデータをＡＴ６０４に転送するように構成されたタイミング装置６２０を備えることができる。本開示の少なくとも１つの態様においては、タイミング装置６２０は、周波数間タイミング装置１０２と実質的に同様であること、又は周波数間タイミング装置１０２を少なくとも部分的に含むことができる。特に、タイミング装置６２０は、基地局６０２と１つ以上のその他の基地局との間でバックホールネットワーク６１８を用いることができる。バックホールネットワーク６１８は、基地局６０２が、サービング周波数を用いる基地局６０２によって用いられるタイミング構成データを１つ以上のその他の基地局と共有すること、及びそれらの基地局によって用いられる無線ネットワークの周波数を用いる１つ以上のその他の基地局によって用いられる各々のタイミング構成データを受信することができる。
【００５３】
本開示の少なくとも１つの態様において、タイミング装置６２０は、周波数間タイミング装置１０２を備えることができる。従って、タイミング装置６２０は、無線ネットワーク内の周波数間セルによって用いられるサブフレームタイミング情報を得る基地局６２０の通信インタフェース（例えば、バックホールネットワーク６１８）を用いることができる。さらに、タイミング装置６２０は、ネットワークタイミングを用いてアクセス端末（例えば、ＡＴ６０４）を更新するように構成されたモジュールを実行するためのデータプロセッサ６１４を用いることができる。具体的には、モジュールは、サブフレームタイミング構成に関する情報を含むＩＥを生成する変換モジュールを備えることができる。さらに、モジュールは、基地局６０２によって用いられる無線送信機（例えば、送信機６３０及び送信アンテナ６０８）を通じてアクセス端末にＩＥを送信するための配送モジュールを備えることができる。
【００５４】
特定の態様により、変換モジュール６２２は、単ビットフォーマット又は多ビットフォーマットでＩＥを生成することができる。一例として、単ビットフォーマットは、１つ以上の周波数間セルのサブフレームタイミング構成を基地局６０２によって採用されるサービングサブフレーム構成と同じ又は異なることを示す。その他の例においては、多ビットフォーマットは、周波数間セルによって用いられる完全なサブフレームタイミング構成を明示する。さらにその他の例においては、多ビットフォーマットは、サブフレームタイミング構成と既知のタイミング構成、例えば、サービングサブフレームタイミング構成、デフォルトのサブフレームタイミング構成、等の間の関係を提供する。１つの具体例として、その関係は、次のうちのいずれか１つ、すなわち、第１のＴＤＤ周波数（例えば、基地局６０２によって用いられる周波数と異なるそれ）を用いる無線ネットワークのセルは、基地局６０２のサービングサブフレーム構成を利用する、第１のＴＤＤ周波数を用いる無線ネットワークのセルは、基地局６０２のサービングサブフレーム構成と異なる共通のサブフレーム構成を利用する、又は第１のＴＤＤ周波数を用いる無線ネットワークのセルは、様々なサブフレーム構成のうちの１つも用いる、を明示することができる。後者の場合は、様々なサブフレーム構成は、サービングサブフレーム構成を含むことができ、又はサービングサブフレーム構成を除外することができる。
【００５５】
その他の態様においては、タイミング装置６２０は、リスティングモジュール６２６を備えることができる。リスティングモジュール６２６は、バックホールネットワーク６１８から得られた無線ネットワークの一組の隣接セルのためのサブフレーム構成データをコンパイルする。さらに、リスティングモジュール６２６は、セル別又は周波数別のコンパイルされたサブフレーム構成データを構文解析することができ、隣接セルの組は、少なくとも１つの周波数間セルと、少なくとも１つのその他のセルと、を備える。さらに、コンパイルされたデータは、サブフレーム構成データを格納するために基地局６０２と通信可能な形で結合されたデータストア６３２においてリスティングモジュール６２６によって格納することができる。セル別にコンパイルされたデータは、セルタイミングファイル６３４に格納することができ、周波数別にコンパイルされたデータは、周波数タイミングファイル６３６に格納することができる。特定の態様により、リスティングモジュール６２６は、無線ネットワークの隣接セルの組の中の１つのための、又は無線ネットワークの１つのＴＤＤ周波数のためのサブフレーム構成データの各々の部分組を各々明示する１組のＩＥを備えるサブフレーム構成データから隣接セルリストを生成する。隣接セルリストは、データストア６３２のタイミングマトリクスファイル６３８に格納することができる。さらに、この後者の態様においては、配送モジュール６２４は、システム情報ブロードキャストチャネル、又は測定構成ユニキャストチャネル、又は無線ネットワークによって用いられる他の適切なブロードキャスト又はユニキャストチャネルでＡＴ６０４に隣接セルリストを送信する。
【００５６】
図７は、本開示の態様による無線通信のために構成されたＡＴ７０２を備えるシステム例のブロック図を示す。ＡＴ７０２は、無線ネットワークの１つ以上の基地局７０４（例えば、アクセスポイント）と無線で結合するように構成することができる。該構成に基づき、ＡＴ７０２は、順方向リンクチャネルで基地局７０４から無線信号を受信すること及び逆方向リンクチャネルで無線信号を用いて応答することができる。さらに、ＡＴ７０２は、ここにおいて説明されるように、受信された無線信号を解析する、サービングセルの周波数と異なるそれを用いる非サービングセルに関するタイミング情報を抽出する、等のためにメモリ７１４に格納された命令を備えることができる。
【００５７】
ＡＴ７０２は、信号を受信する少なくとも１つのアンテナ７０６（例えば、無線送信／受信インタフェース又は入力／出力インタフェースを備える該インタフェースから成るグループ）と、受信された信号に対して典型的な動作（例えば、フィルタリング、増幅、ダウンコンバージョン、等）を行う受信機７０８と、を含む。概して、アンテナ７０６及び送信機７３０（総称してトランシーバと呼ばれる）は、基地局７０４との無線でのデータのやり取りを容易にするように構成することができる。さらに、アンテナ７０６、受信機７０８、及び送信機７３０、並びに復調器７１０及び変調器７２８は、無線通信インタフェースを形成することができる。特に、この無線通信インタフェースは、複数のＴＤＤ周波数で通信するように構成することができる。従って、本開示の少なくとも１つの態様においては、無線通信インタフェースは、（例えば、基地局７０４を含む）無線ネットワークの複数のセルと通信するために無線ネットワークの複数のＴＤＤ周波数を用いる。
【００５８】
アンテナ７０６及び受信機７０８は、受信されたシンボルを復調し、評価のためにデータプロセッサ７１２に該信号を提供することができる復調器７１０と結合させることができる。データプロセッサ７１２は、ＵＥ７０２の１つ以上の構成要素（アンテナ７０６、受信機７０８、復調器７１０、メモリ７１４、リレータイミング装置７１６、解析モジュール７１８、実装モジュール７２０、相関モジュール７２２、信号測定モジュール７２４、構文解析モジュール７２６、変調器７２８、送信機７３０）を制御及び／又は参照することができる。さらに、データプロセッサ７１２は、ＵＥ７０２の機能を実行することに関する情報又は制御を備える１つ以上のモジュール、アプリケーション、エンジン、等（リレータイミング装置７１６、解析モジュール７１８、実装モジュール７２０、相関モジュール７２０、信号測定モジュール７２４、構文解析モジュール７２６）を実行することができる。例えば、該機能は、ここにおいて説明されるように、基地局７０４のサービングセルから周波数間タイミングデータを得ることと、そのデータを用いて基地局７０４の非サービングセルのためのサブフレームタイミング構成を識別又は推測することと、等を含むことができる。
【００５９】
さらに、ＡＴ７０２のメモリ７１４は、データプロセッサ７１２に動作可能な形で結合される。メモリ７１４は、送信されるべき、受信された、等のデータ、及び遠隔デバイスとの無線通信を行うのに適する命令を格納することができる。具体的には、命令は、上記において、又はここの別の箇所において説明される様々な機能を実装するために利用することができる。さらに、メモリ７１４は、上記のデータプロセッサ７１２によって実行されるモジュール、アプリケーション、エンジン、等（７１８、７２０、７２２、７２４、７２６）を格納することができる。
【００６０】
特に、ＡＴ７０２は、サービングセルから受信されたタイミングデータを抽出し及びそのタイミングデータを用いて非サービングセルのためのサブフレームタイミング構成を得るためのリレータイミング装置７１６を備える。例えば、リレータイミング装置７１６は、無線ネットワークの複数のセルと通信するために複数のＴＤＤ周波数を用いる無線通信インタフェースを利用することができる。リレータイミング装置７１６は、これらの複数のセルのためのネットワークタイミング構成を得るように構成された（例えば、メモリ７１４に格納された）モジュールを実行するための少なくとも１つのデータプロセッサ７１２をさらに用いることができる。これらのモジュールは、無線ネットワークの非サービング周波数に関するサブフレーム構成データを識別するためにサービングセルから無線通信インタフェースによって得られたタイミングデータを検査する解析モジュール７１８を含むことができる。さらに、リレータイミング装置７１６は、非サービング周波数の信号を解析するためにそれを用いるネットワークセルによって利用されるサブフレーム構成を用いる実装モジュールを備えることができる。このサブフレーム構成は、後述されるように、解析モジュール７１８において受信されたサブフレーム構成データにどのような情報が含まれるかに依存して、相関モジュール７２２、又は信号測定モジュール７２４から導き出すことができる。
【００６１】
相関モジュール７２２は、リレータイミング装置７１６によって用いることができ、非サービング周波数に関するタイミングデータの部分組を識別してタイミングデータの部分組からサブフレーム構成を決定又は推測するか又はサブフレーム構成を得るために非サービング周波数の信号を測定しなければならないことをタイミングデータの部分組から決定することのうちの１つを行う。従って、一例においては、相関モジュール７２２は、サブフレーム構成がリレータイミング装置７１６によって用いられる既知のサブフレーム構成（例えば、メモリ７１４に格納された、サービングサブフレームタイミング構成、デフォルトのサブフレームタイミング構成、等）と同じであるか又は同じでないことをタイミングデータの部分組が明示すると決定することができる。他の例においては、相関モジュール７２２は、サブフレーム構成が次のうちのいずれか１つ、すなわち、サービングサブフレーム構成と同じであり及び非サービング周波数を用いるネットワークセルによって共通して用いられている、サービングサブフレーム構成と異なり及び非サービング周波数を用いるネットワークセルによって共通して用いられている、又は非サービング周波数を用いるネットワークセルによって用いられる一組のサブフレーム構成のうちの１つであるにすぎないことをタイミングデータの部分組が明示すると決定することができる。
【００６２】
これらの例においては、タイミングデータは、非サービング周波数のために用いられるサブフレーム構成と既知のサブフレーム構成との間の関係を提供する。タイミングデータの解析に基づき、リレータイミング装置７１６は、非サービング周波数のために用いられるサブフレーム構成を推測することができる。従って、例えば、相関モジュール７２２は、サブフレーム構成がサービングサブフレーム構成と同じである場合に、サービングサブフレーム構成は非サービング周波数によって用いられると決定する。他の場合として、相関モジュール７２２は、サブフレーム構成がサービングサブフレーム構成と異なり及び非サービング周波数を用いるネットワークセルによって共通して用いられる場合に、非サービング周波数の信号を測定してサブフレーム構成を入手し、非サービング周波数を用いる全ネットワークセルにサブフレーム構成をインピュートすることをリレータイミング装置７１６に命令する。さらに他の場合においては、相関モジュール７２２は、サブフレーム構成が非サービング周波数を用いるネットワークセルによって用いられるサブフレーム構成の組の中の１つにすぎない場合には、非サービング周波数を用いる各々のセルためのサブフレーム構成の組の中の各々のサブフレーム構成を得るために各々の該セルの信号を独立して測定しなければならないと推測する。
【００６３】
しかしながら、上記の代替例においては、タイミングデータの部分組は、非サービング周波数又は非サービング周波数を用いるネットワークセルのための完全なサブフレーム構成を明示する。この場合は、相関モジュール７２２は、非サービング周波数のために用いられる完全なサブフレームタイミング構成を抽出し、それは、実装モジュール７２０によって直接実装することができる。完全なサブフレーム構成が提供されないか又は非サービング周波数によって用いられるサブフレーム構成を推測するために利用することができる既知の構成との適切な関係が存在しない場合は、リレータイミング装置７１６は、サブフレーム構成を導き出すために非サービング周波数を用いるネットワークセルの信号を直接評価する信号測定モジュール７２４を用いることができる。
【００６４】
本開示の１つ以上の追加の態様により、リレータイミング装置７１６は、構文解析モジュール７２６を備えることができる。構文解析モジュール７２６は、タイミングデータをソートし、無線ネットワークの複数のＴＤＤ周波数のうちの各々の１つに関するそれの各々の部分組にする。より特定の例として、構文解析モジュール７２６は、第１の非サービング周波数に関するタイミングデータを構文解析してタイミングデータの第１の部分組にし、第２の非サービング周波数に関するタイミングデータを構文解析してタイミングデータの第２の部分組にし、以下同様である。構文解析モジュール７２６は、タイミングデータの各々の部分組をメモリ７１４に保存することができる。本開示のこれらの態様においては、解析モジュール７１８は、無線ネットワークの複数のＴＤＤ周波数のうちの各々の１つに関する各々のサブフレーム構成データを識別するためにタイミングデータの各々の部分組を検査するように構成することができる。この部分組ごとの解析は、異なるネットワーク周波数、又は各々の周波数を用いる異なるネットワークセルのための異なるサブフレームタイミング構成を得ることを容易にする、等であることができる。
【００６５】
上記のシステムは、幾つかのコンポーネント、モジュール及び／又はインタフェース間での相互作用に関して説明されている。該システム及びコンポーネント／モジュール／インタフェースは、ここにおいて明示されるコンポーネント／モジュール又はサブモジュール、明示されるコンポーネント／モジュール又はサブモジュールの一部、及び／又は追加のモジュールを含むことができることが評価されるべきである。例えば、システムは、ＡＴ７０２、基地局６０２、データストア２１６、及び非サービングセル５１４と５１６、又はこれらの又はその他のモジュールの異なる組み合わせ、を含むことができる。サブモジュールは、親モジュール内に含められるのではなくその他のモジュールに通信可能な形で結合されたモジュールとして実装することも可能である。さらに、１つ以上のモジュールを、総合的な機能を提供する単一のモジュールに結合することが可能であることが注目されるべきである。例えば、変換モジュール２１０は、単一のコンポーネントを通じて、サブフレームタイミング情報を含むＩＥを生成するために及び無線ネットワークによってサービスが提供されるアクセス端末にＩＥを転送するために配送モジュール２１２を含むことができ、逆も同様である。コンポーネントは、ここでは具体的には説明されていないが当業者によって知られている１つ以上のその他のコンポーネントと相互に作用することもできる。
【００６６】
さらに、評価されるであろうように、上記の開示されるシステムの様々な部分及び以下の方法は、人工知能又は知識又は規則に基づくコンポーネント、サブコンポーネント、プロセス、手段、方法、又は機構（例えば、サポートベクトルマシン、ニューラルネットワーク、エキスパートシステム、ベイジアン確信ネットワーク、ファジーロジック、データ融合エンジン、分類器、等）を含むこと又は人工知能又は知識又は規則に基づくコンポーネント、サブコンポーネント、プロセス、手段、方法、又はメカニズム（例えば、サポートベクトルマシン、ニューラルネットワーク、エキスパートシステム、ベイジアン確信ネットワーク、ファジーロジック、データ融合エンジン、分類器、等）から成ることができる。該コンポーネントは、とりわけ、及びここにおいて既に説明されているそれに加えて、システム及び方法の一部分をより好適化する、及びより効率的及びインテリジェントにするために実行される幾つかのメカニズム又はプロセスを自動化することができる。
【００６７】
上述される典型的なシステムに鑑みて、開示される主題により実装することができる方法は、図８乃至１１のフローチャートを参照することでより良く評価されるであろう。説明の単純化を目的として、方法は、一連のブロックとして示されて説明される一方で、幾つかのブロックは、ここにおいて示されて説明される順序と異なる順序で及び／又はその他のブロックと同時並行して生じることができるため、請求される主題はブロックの順序によって限定されないことが理解及び評価されるべきである。さらに、以降において説明される方法を実装するためにすべての例示されるブロックが要求されるわけではない。さらに、以降において及びこの明細書全体を通じて開示される方法は、該方法をコンピュータに搬送及び転送するのを容易にするための製造品において格納することが可能であることがさらに評価されるべきである。ここにおいて用いられる場合における用語製造品は、コンピュータによって読み取り可能なデバイス、キャリアと連携するデバイス、又は記憶媒体からアクセス可能なコンピュータプログラムを包含することが意図される。
【００６８】
図８は、本開示の態様による多周波数無線ネットワークにおいて向上されたタイミングを提供するための方法例８００のフローチャートを示す。８０２において、方法８００は、第１の時分割複信（ＴＤＤ）周波数を用いる無線ネットワークのアクセスポイントのためのＴＤＤタイミング構成を得るための通信インタフェースを用いることを備えることができる。ＴＤＤタイミング構成は、アクセスポイントを有するバックホールネットワークを介して、又は１つ以上のアクセス端末を介するオーバーザエア（ＯＴＡ）で（例えば、ＴＤＤ周波数を利用するエアインタフェースにおいて）得ることができる。前者の場合は、バックホールネットワークは、アクセスポイントを通信インタフェースと関連づけられたサービング基地局と通信可能な形で結合する有線ネットワーク、又は無線ネットワークであることができる。
【００６９】
８０４において、方法８００は、第２のＴＤＤ周波数を用いる（サービング基地局を備える）無線ネットワークのサービングセルのための周波数間ＴＤＤタイミングデータを提供するように構成された命令を実行するためのデータプロセッサを用いることを備えることができる。第１のＴＤＤ周波数及び第２のＴＤＤ周波数は、無線ネットワーク（例えば、３ＧＰＰ  ＬＴＥ  ＴＤＤネットワーク）によって用いられる別個の周波数であることができることが評価されるべきである。８０６において、命令を実行することは、ＴＤＤタイミング構成に関する情報を明示する１つ以上のフィールドを備えるＩＥ（例えば、ネットワークメッセージ）を確立することを備えることができる。一態様においては、方法８００は、ＩＥで第１のＴＤＤ周波数を識別することをさらに備えることができる。これは、第１のＴＤＤ周波数とＴＤＤタイミング構成に関する情報との間の明示の相関関係を提供する。本開示の特定の態様は、ＩＥのための単ビットデータフォーマット又は多ビットデータフォーマットを用いることを提供する。一例として、単ビットフォーマットは、アクセスポイントがサービングセルと同じ又は異なるサブフレーム構成を用いることを示す。他の例として、多ビットデータフォーマットは、次のうちのいずれか１つ、すなわち、アクセスポイントのＴＤＤタイミング構成は、サービングセルによって用いられるサブフレーム構成と同一である、第１のＴＤＤ周波数を用いる無線ネットワークのセルは、ＴＤＤタイミング構成も用いる、又は第１のＴＤＤ周波数を用いる無線ネットワークのセルは、ＴＤＤタイミング構成を含む一組のＴＤＤタイミング構成のうちの１つも用いる、を明示する。しかしながら、別の例においては、多ビットフォーマットは、ＩＥでＴＤＤタイミング構成の完全なサブフレーム構成を明示するのを容易にすることができる。
【００７０】
８０８において、命令を実行することは、１つ以上のアクセス端末への配送ために第２のＴＤＤ周波数を利用して無線エアインタフェースでＩＥを転送することをさらに備えることができる。アクセス端末は、サービングセル内に存在することができ、及びアイドル状態であること又はサービングセルとアクティブに接続することができる。一例においては、アクセス端末にＩＥを転送することは、専用シグナリング又はブロードキャストシグナリングを用いることをさらに備えることができる。例えば、専用シグナリングは、サービングセルにアクティブに接続されているアクセス端末のために用いることができ、ブロードキャストシグナリングは、アイドル状態のアクセス端末のために用いることができる。しかしながら、本開示は、そのようには限定されない。
【００７１】
１つの特定の例として、方法８００は、サービングセルに隣接する１つ以上のセルのためにサブフレーム構成データを得ることと転送することとを備えることができる（例えば、ここで、隣接するは、隣接セルとして明示されているセル、又はサービングセルのシグナリング範囲内にあるセル、等を意味する）。代替として、方法８００は、セル別に又は周波数別に構文解析されるサブフレーム構成データ、又はそれらの適切な組み合わせ、を得ることと転送することとを備えることができる。従って、例えば、方法８００は、サービングセルに隣接するセルによって用いられる複数のＴＤＤ周波数のためのサブフレーム構成データを得ることと転送することとを備えることができる。より具体的な例においては、方法８００は、ＴＤＤ周波数別に、サービングセルのシグナリング範囲内の各セルのためのサブフレーム構成データを明示する隣接セルリストを生成することと転送することとを備える。
【００７２】
上記に加えて、方法８００は、無線ネットワークの第２のアクセスポイントの追加のＴＤＤタイミング構成を得ることをさらに備えることができ、第２のアクセスポイントは、第１のＴＤＤ周波数及び第２のＴＤＤ周波数と異なる第３のＴＤＤ周波数を用いる。さらに、該態様においては、方法８００は、追加のＴＤＤタイミング構成をＩＥにおいて又は第２のアクセスポイント又は第３のＴＤＤ周波数専用の第２のＩＥ内に明示することを備えることができる。上記に加えて、方法８００は、同様に該態様において第２のＩＥ又は追加のＴＤＤタイミング構成を明示するＩＥをアクセス端末に転送することを備えることができる。
【００７３】
図９は、無線通信における周波数間ネットワークセルの向上されたタイミングの提供のための方法例９００のフローチャートを示す。９０２において、方法９００は、無線ネットワーク内の隣接無線セルからタイミングデータを得ることを備えることができ、隣接無線セルのうちの少なくとも１つは、サービングセルと異なる周波数を用いる。９０４において、方法９００は、ここにおいて説明されるように、ネットワークセルのためのＩＥを生成することと、ＩＥ内にセルタイミングデータを含めること、とを備えることができる（例えば、上記の図８を参照）。さらに、９０６において、方法９００は、サービングセル内のアクセス端末にＩＥを転送するためにユニキャスト又はブロードキャストシグナリングのいずれが用いられるかを決定することを備えることができる。ブロードキャストシグナリングに関しては、方法９００は、９０８に進むことができる。そうでない場合は、方法９００は、９１２に進む。
【００７４】
９０８において、方法９００は、ブロードキャストチャネル内にＩＥを組み入れることを備えることができる。さらに、９１０において、方法９００は、無線ネットワークのサービングセル内でＩＥをブロードキャストすることを備えることができる。９１２において、方法９００は、ユニキャストメッセージ内にＩＥを組み入れることを代わりに備える。９１４において、方法９００は、無線ネットワーク内の特定のＡＴにＩＥをユニキャストすることを備えることができる。
【００７５】
図１０は、本開示のさらなる態様による方法例１０００のフローチャートを示す。１００２において、方法１０００は、無線ネットワークの複数の周波数に関するタイミング情報を得るための無線通信インタフェースを用いることを備えることができる。タイミング情報は、ネットワークセルによって用いられる明示のサブフレームタイミング構成、又はサブフレームタイミング構成と既知のタイミング構成との間の関係を備えることができる。１００４において、方法１０００は、無線ネットワークのセルのための周波数間タイミングデータを決定するように構成された命令を実行するためのデータプロセッサを用いることを備えることができる。
【００７６】
１００６において、命令を実行することは、無線ネットワークの非サービングセルに関するタイミングデータを識別するためにタイミング情報を構文解析することをさらに備えることができる。方法１０００の少なくとも１つの態様において、タイミング情報を構文解析することは、サブフレーム構成が無線ネットワークのサービングセルによって用いられるサービングサブフレーム構成と同じであるか又は異なるかを識別することをさらに備える。方法１０００のさらにその他の態様においては、タイミング情報を構文解析することは、次のうちのいずれか１つ、すなわち、非サービング周波数を用いる無線ネットワークのセル（非サービングネットワークセル）は、サービング周波数のサービングサブフレーム構成を利用する、非サービングネットワークセルは、サービングサブフレーム構成と異なる共通のサブフレーム構成を利用する、又は非サービングネットワークセルは、一組の複数の異なるサブフレーム構成のうちの１つを利用する、を識別することをさらに備える。
【００７７】
上記に加えて、命令を実行することは、１００８において、非サービングセルのサブフレーム構成を得る又は推測するためにタイミングデータを解析することを備えることができる。サブフレーム構成に基づき、方法１０００によって１つ以上の動作を決定及び実装することができる。一例においては、適切な動作は、非サービングセルがサービングサブフレーム構成を利用する場合に、該セルの信号解析のためのサービングサブフレーム構成を用いることを備えることができる（例えば、サブフレーム構成は、サービングサブフレーム構成と同じである）。他の場合においては、適切な動作は、非サービングネットワークセルが共通のサブフレーム構成を利用する場合には、非サービングセルの信号を解析して非サービング周波数のための測定されたサブフレーム構成を得ることと、測定されたサブフレーム構成を全非サービングネットワークセルにインピュートすること、とを備えることができる。さらに他の場合においては、適切な動作は、非サービングネットワークセルが複数の異なるサブフレーム構成の組の中の１つを利用する場合には、非サービングセルの信号を独立して解析して複数の異なるサブフレーム構成の組の中のいずれが非サービングセルによって用いられるかを識別することを備えることができる。サブフレーム構成がタイミングデータ内に存在しないか又はタイミングデータから推測できない場合は、方法１０００は、サブフレーム構成の場合にサブフレーム構成を得るために非サービングセルの無線信号を測定することを代わりに備えることができる。
【００７８】
１つの特定のフォーマットとして、無線ネットワークの複数の周波数に関するタイミングデータは、無線ネットワークのセル別の又は周波数別のサブフレーム構成情報を提供する隣接セルリストを備えることができる。任意選択で、隣接セルリストは、周波数別サブフレーム構成リスト及びセル別サブフレーム構成リストの両方を明示する。この後者の実装に関しては、方法１０００は、周波数別サブフレーム構成を周波数別サブフレーム構成リストにおいて示される特定の周波数を用いる全非サービングセルに関連づけることを任意選択で備えることができ、ただし、周波数別サブフレーム構成と異なるセル別サブフレーム構成リストにおいて示されるセル別サブフレーム構成を有する特定の周波数を用いる非サービングセルを除く。異なる言い方をすると、第１の非サービング周波数を用いる全ネットワークセルに関して共通の周波数別タイミングを明示することができ、ただし、異なるセル別タイミング情報と関連づけられている第１の非サービング周波数を用いるネットワークセルを除く。この場合は、該タイミングを利用するセルを区別するために、共通の周波数別タイミングを利用しないセルのために特定のセル別タイミング構成エントリを提供することができる（例えば、上記の図４を参照）。
【００７９】
図１１は、無線通信において周波数間タイミングデータを用いるための方法例１１００のフローチャートを示す。１１０２において、方法１１００は、無線ネットワークのサービングセルから周波数間タイミングデータを得ることを備えることができる。周波数間タイミングデータは、例えば、無線ネットワークの非サービングセルのサブフレーム構成、又は非サービングセルのサブフレーム構成に関するデータを備えることができる。
【００８０】
上記に加えて、１１０４において、方法１１００は、無線ネットワークの周波数別又はセル別にタイミングデータを構文解析することを備えることができる。１１０６において、方法１１００は、無線ネットワークの特定のセル又は周波数のサブフレーム構成のための構文解析されたデータを解析することを備えることができる。１１０８において、サブフレームタイミングがタイミングデータによって完全に明示されるかどうか、又は共通のただし不明のサブフレームタイミングが非サービング周波数のセルのために用いられるかどうか、又は独立したサブフレームタイミング構成が非サービング周波数のネットワークセルによって用いられるかどうかに関して決定が行われる。
【００８１】
方法１１００は、サブフレームタイミングが参照数字１１０６での解析の結果として完全に明示されている場合は１１１０に進む。該場合においては、方法１１００は、明示されたタイミング構成を非サービングセルのために用いることができる。さらに、方法１１００は、１１２２に進むことができ、そこで、明示されたタイミング構成を用いて隣接周波数セルが復号される。
【００８２】
方法１１００は、サブフレームタイミングが非サービング周波数を用いるネットワークセルに共通するがサービングサブフレームタイミング構成と異なる場合に１１１２に進む。１１１２において、方法１１００は、非サービング周波数を用いる１つの隣接セルの信号を解析することができる。１１１４において、方法１１００は、解析された信号からサブフレームタイミングを測定することができる。１１１６において、方法１１００は、測定されたサブフレームタイミングを非サービング周波数のその他のセルにインピュートすることができる。さらに、方法１１００は、１１２２に進むことができ、そこで、隣接周波数セルが測定されたサブフレームタイミング構成を用いて復号される。
【００８３】
１１０８での決定が、非サービング周波数を用いるネットワークセルが様々なサブフレームタイミング構成を用いることを示す場合は、方法１１００は、１１１８に進む。１１１８において、隣接セル又は周波数の信号が解析される。１１２０において、方法１１００は、非サービング周波数の１つのセルのためのタイミング構成を測定することができる。さらに、１１２２において、方法１１００は、非サービング周波数の１つのセルの信号を復号することができる。
【００８４】
図１２及び１３は、本開示の態様による無線通信における向上された周波数間タイミングの提供を実装するための各々のシステム例１２００、１３００を示す。例えば、システム１２００、１３００は、無線通信ネットワーク内及び／又は無線受信機内、例えば、ノード、基地局、アクセスポイント、ユーザ端末、モバイルインタフェースカードと結合されたパソコン、等、内に少なくとも部分的に常駐することができる。システム１２００、１３００は、プロセッサ、ソフトウェア、又はそれらの組合せ（例えば、ファームウェア）によって実装される機能を表す機能ブロックであることができる機能ブロックを含むものとして表されることが評価されるべきである。
【００８５】
システム１２００は、システム１２００の機能を実行するように構成されたモジュールを格納するためのメモリ１２０２を備えることができる。特に、システム１２００は、第１のＴＤＤ周波数を用いる無線ネットワークのアクセスポイントのためのＴＤＤタイミング構成を得るための通信インタフェースを用いるためのモジュール１２０４を備える。さらに、システム１２００は、第２のＴＤＤ周波数を用いる無線ネットワークのサービングセルを介して周波数間ＴＤＤタイミングデータを提供するように構成された追加のプログラムモジュールを実行するためのデータプロセッサを用いるためのモジュール１２０６を備えることができる。例えば、モジュール１２０８は、ＴＤＤタイミング構成に関する情報を明示する一組のメッセージフィールドを備えるＩＥを確立するために用いることができる。ＩＥは、様々な許可されたフォーマットのうちの１つであることができる。例は、単ビットフォーマット、又は多ビットフォーマットを含む。少なくとも１つの態様においては、ＩＥは、周波数間ＴＤＤタイミングデータがサービングセルと通信可能な形で結合されたアクセス端末に知られているその他のタイミングと同じであるか又は異なるかを明示する。該場合においては、アクセス端末は、周波数間ＴＤＤタイミングデータを得るための第１のＴＤＤ周波数での追加の信号測定を回避することができる。他の態様においては、ＩＥは、第１のＴＤＤ周波数を用いる１つ以上のセルが共通のタイミングデータを共有するかどうか、及び共通のタイミングデータが既知のタイミングデータと同じ又は異なるかどうかを明示することができる。この態様においては、ＩＥは、アクセス端末がタイミング測定を行わなければならない尤度を少なくとも低くすることができる。上記に加えて、システム１２００は、アクセス端末にＩＥを転送するためのモジュール１２１０をさらに備えることができる。
【００８６】
システム１３００は、システム１３００の機能を実行するように構成されたモジュールを格納するためのメモリ１３０２を備えることができる。特に、システム１３００は、無線ネットワークの非サービング周波数に関するタイミング情報を得るための無線通信インタフェースを用いるためのモジュール１３０４を備えることができる。さらに、システム１３００は、無線ネットワークのセルのための周波数間タイミングデータを決定するように構成されたプログラムモジュールを実行するためのデータプロセッサを用いるためのモジュール１３０６を備えることができる。これらのプログラムモジュールは、ここにおいて説明されるように、非サービング周波数に関するサブフレーム構成データを識別するためにタイミング情報を検査するためのモジュール１３０８と、非サービング周波数の信号を解析するためにそれを用いるネットワークセルによって利用されるサブフレーム構成を用いるためのモジュール１３１０と、を含むことができる。
【００８７】
図１４は、ここにおいて開示される幾つかの態様による無線通信を容易にすることができるシステム例１４００のブロック図を示す。ダウンリンクにおいては、アクセスポイント１４０５において、送信（ＴＸ）データプロセッサ１４１０は、トラフィックデータを受信、フォーマット化、符号化、インターリービング、及び変調（又はシンボルマッピング）し、変調シンボル（“データシンボル”）を提供する。シンボル変調器１４１５は、データシンボル及びパイロットシンボルを受信及び処理してシンボルのストリームを提供する。シンボル変調器１４１５は、データ及びパイロットシンボルを多重化し、それらを送信機ユニット（ＴＭＴＲ）１４２０に提供する。各送信シンボルは、データシンボル、パイロットシンボル、又はゼロの信号値であることができる。パイロットシンボルは、各シンボル期間において連続的に送信することができる。パイロットシンボルは、周波数分割多重（ＦＤＭ）、直交周波数分割多重（ＯＦＤＭ）、時分割多重（ＴＤＭ）、符号分割多重（ＣＤＭ）、又はそれらの又は類似の変調及び／又は送信技法の適切な組み合わせであることができる。
【００８８】
ＴＭＴＲ１４２０は、シンボルのストリームを受信して１つ以上のアナログ信号に変換し、それらのアナログ信号をさらにコンディショニング（例えば、増幅、フィルタリング、及び周波数アップコンバージョン）して無線チャネルでの送信に適するダウンリンク信号を生成する。ダウンリンク信号は、アンテナ１４２５を通じて端末に送信される。端末１４３０において、アンテナ１４３５は、ダウンリンク信号を受信し、受信された信号を受信機ユニット（ＲＣＶＲ）１４４０に提供する。受信機ユニット１４４０は、受信された信号をコンディショニング（例えば、フィルタリング、増幅、及び周波数ダウンコンバージョン）し、コンディショニングされた信号をデジタル化してサンプルを得る。シンボル復調器１４４５は、チャネル推定のために受信されたパイロットシンボルを復調してプロセッサ１４５０に提供する。シンボル復調器１４４５は、ダウンリンクに関する周波数応答推定をプロセッサ１４５０からさらに受信し、受信されたデータシンボルに対してデータ復調を行って（送信されたデータシンボルの推定である）データシンボル推定を得て、データシンボル推定をＲＸデータプロセッサ１４５５に提供し、それは、データシンボル推定を復調（すなわち、シンボルデマッピング）し、デインターリービング、及び復号して送信されたトラフィックデータを復元する。アクセスポイント１４０５において、シンボル復調器１４４５及びＲＸデータプロセッサ１４５５による処理は、シンボル変調器１４１５及びＴＸデータプロセッサ１４１０のそれぞれによる処理を補完するものである。
【００８９】
アップリンクにおいて、ＴＸデータプロセッサ１４６０は、トラフィックデータを処理し、データシンボルを提供する。シンボル変調器１４６５は、データシンボルを受信してパイロットシンボルと多重化し、変調を行い、シンボルのストリームを提供する。送信機ユニット１４７０は、シンボルのストリームを受信及び処理してアップリンク信号を生成し、それは、アンテナ１４３５によってアクセスポイント１４０５に送信される。具体的には、アップリンク信号は、ＳＣ−ＦＤＭＡ要求に準じることができ及びここにおいて説明される周波数ホッピング機構を含むことができる。
【００９０】
アクセスポイント１４０５において、端末１４３０からのアップリンク信号がアンテナ１４２５によって受信され、受信機ユニット１４７５によって処理されてサンプルが得られる。シンボル復調器１４８０は、サンプルを処理し、アップリンクに関する受信されたパイロットシンボル及びデータシンボル推定を提供する。ＲＸデータプロセッサ１４８５は、データシンボル推定を処理して端末１４３０によって送信されたトラフィックデータを復元する。プロセッサ１４９０は、アップリンクにおいて送信中の各アクティブ端末のためのチャネル推定を行う。複数の端末がパイロット副帯域の各々の割り当てられた組でアップリンクで同時並行してパイロットを送信することができ、パイロット複帯域の組は、インターレースすることができる。
【００９１】
プロセッサ１４９０及び１４５０は、アクセスポイント１４０５及び端末１４３０においてそれぞれ動作を指示（例えば、制御、調整、管理、等）する。各々のプロセッサ１４９０及び１４５０は、プログラムコード及びデータを格納するメモリユニット（示されていない）と関連づけることができる。プロセッサ１４９０及び１４５０は、アップリンク及びダウンリンクに関する周波数及び時間に基づくインパルス応答推定をそれぞれ導き出すための計算を行うこともできる。
【００９２】
多元接続システム（例えば、ＳＣ−ＦＤＭＡ、ＦＤＭＡ、ＯＦＤＭＡ、ＣＤＭＡ、ＴＤＭＡ、等）に関して、複数の端末がアップリンクで同時並行して送信することができる。該システムに関しては、パイロット副帯域を異なる端末間で共有することができる。チャネル推定技法は、各端末のためのパイロット副帯域が動作帯域全体（場合により、帯域縁部を除く）にまたがる場合に用いることができる。該パイロット副帯域構造は、各端末のための周波数ダイバーシティを得るために望ましい。ここにおいて説明される技法は、様々な手段で実装することができる。例えば、これらの技法は、ハードウェア、ソフトウェア、又はそれらの組み合わせにおいて実装することができる。ハードウェア実装の場合は、それは、デジタル、アナログ、又はデジタル及びアナログの両方であることができ、チャネル推定のために用いられる処理ユニットは、ここにおいて説明される機能を果たすように設計された１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、その他の電子ユニット、又はそれらのあらゆる組合せ、内に実装することが可能である。ソフトウェアの場合は、実装は、ここにおいて説明される機能を果たすモジュール（手順、関数、等）を通じて行うことができる。ソフトウェアコードは、メモリユニットに格納すること及びプロセッサ１４９０及び１４５０によって実行することができる。
【００９３】
図１５は、１つ以上の態様と関係させて利用することができるような複数の基地局（ＢＳ）１５１０（例えば、無線アクセスポイント、無線通信装置）及び複数の端末１５２０（例えば、ＡＴ）を有する無線通信システム１５００を示す。ＢＳ１５１０は、概して、端末と通信する固定局であり、アクセスポイント、ノードＢ、又は何らかのその他の用語で呼ぶこともできる。各ＢＳ１５１０は、図１５において３つの地理上のエリア、１５０２ａ、１５０２ｂ、及び１５０２ｃ、として示される特定の地理上のエリア又はカバレッジエリアのための通信カバレッジを提供する。用語“セル”は、その用語が用いられる文脈に依存してＢＳ又はそのカバレッジエリアを意味することができる。システム容量を向上させるために、ＢＳの地理上のエリア／カバレッジエリアは、複数のより小さいエリア（例えば、図１５のセル１５０２ａによる、３つのより小さいエリア）に区分することができる。各々のより小さいエリア（１５０４ａ、１５０４ｂ、１５０４ｃ）は、各々の基地トランシーバサブシステム（ＢＴＳ）によってサービスを提供することができる。用語“セクタ”は、その用語が用いられる文脈に依存してＢＴＳ又はそのカバレッジエリアを意味することができる。セクタ化されたセルに関して、そのセルの全セクタのためのＢＴＳは、典型的にはそのセルのための基地局内に共在する。ここにおいて説明される送信技法は、セクタ化されたセルを有するシステム及びセクタ化されないセルを有するシステムのために用いることができる。単純化を目的として、本説明においては、別の明記がない限り、用語“基地局”は、セクタにサービスを提供する固定局及びセルにサービスを提供する固定局に関して概して用いられる。
【００９４】
端末１５２０は、システム全体にわたって典型的に分散しており、各端末１５２０は、固定型又は移動型であることができる。端末１５２０は、移動局、ユーザ装置、ユーザデバイス、無線通信装置、アクセス端末、ユーザ端末又は何らかのその他の用語で呼ぶこともできる。端末１５２０は、無線デバイス、携帯電話、パーソナルデジタルアシスタント（ＰＤＡ）、無線モデムカード、等であることができる。各端末１５２０は、所定の時点においてダウンリンク（例えば、ＦＬ）及びアップリンク（例えば、ＲＬ）でゼロの、１つの、又は複数のＢＳ１５１０と通信することができる。ダウンリンクは、基地局から端末への通信リンクを意味し、アップリンクは、端末から基地局への通信リンクを意味する。
【００９５】
集中型アーキテクチャに関しては、システムコントローラ１５３０は、基地局１５１０に結合し、ＢＳ１５１０のための調整及び制御を提供する。分散型アーキテクチャに関しては、ＢＳ１５１０は、（例えば、ＢＳ１５１０を通信可能な形で結合する有線又は無線のバックホールネットワークを通じて）必要に応じて互いに通信することができる。順方向リンクでのデータ送信は、順方向リンク又は通信システムによってサポートできる最大データレートで又は最大データレート近くで１つのアクセスポイントから１つのアクセス端末に対してしばしば発生する。順方向リンクの追加のチャネル（例えば、制御チャネル）を複数のアクセスポイントから１つのアクセス端末に送信することができる。逆方向リンクデータ通信は、１つのアクセス端末から１つ以上のアクセスポイントに対して発生することができる。
【００９６】
図１６は、様々な態様による、計画された又は部分的に計画された無線通信環境１６００の図である。無線通信環境１６００は、互いへの及び／又は１つ以上のモバイルデバイス１６０４への無線通信信号を受信する、送信する、中継する、等、を行う１つ以上のセル及び／又はセクタ内の１つ以上のＢＳ１６０２を備えることができる。示されるように、各ＢＳ１６０２は、４つの地理上のエリア１６０６ａ、１６０６ｂ、１６０６ｃ及び１６０６ｄ、として示される特定の地理上のエリアのための通信カバレッジを提供することができる。各ＢＳ１６０２は、送信機チェーンと、受信機チェーンと、を備えることができ、それらの各々は、当業者によって評価されるであろうように、信号の送信及び受信と関連づけられた複数のコンポーネント（例えば、プロセッサ、変調器、マルチプレクサ、復調器、デマルチプレクサ、アンテナ、等、上記の図１４参照）を備えることができる。モバイルデバイス１６０４ は、例えば、携帯電話、スマートフォン、ラップトップ、ハンドヘルド通信デバイス、ハンドヘルド計算デバイス、衛星無線、全地球測位システム、ＰＤＡ、又は無線通信環境１６００を通じて通信するためのあらゆるその他の適切なデバイスであることができる。無線通信環境１６００は、ここにおいて説明されるように、無線通信における向上されたタイミングの管理を容易にするためにここにおいて説明される様々な態様と関係させて用いることができる。
【００９７】
本開示で用いられる場合において、用語“コンポーネント”、“システム”、“モジュール”、等は、ハードウェア、ソフトウェア、実行中のソフトウェア、ファームウェア、ミドルウェア、マイクロコード、及び／又はそれらのあらゆる組み合わせのいずれであるかにかかわらず、コンピュータに関連するエンティティを意味することが意図される。例えば、モジュールは、プロセッサにおいて実行中のプロセス、プロセッサ、オブジェクト、エクセキュータブル（ｅｘｅｃｕｔａｂｌｅ）、実行スレッド、プログラム、デバイス、及び／又はコンピュータであることができ、ただしこれらに限定されない。プロセス、又は実行スレッド内には１つ以上のモジュールが常駐することができ、モジュールは、１つの電子デバイス上に局在化するか又は２つ以上の電子デバイス間で分散させることができる。さらに、これらのモジュールは、様々なデータ構造が格納されている様々なコンピュータによって読み取り可能な媒体から実行可能である。これらのモジュールは、ローカル又は遠隔プロセスによって、例えば１つ以上のデータパケット（例えば、ローカルシステム又は分散型システム内の他のコンポーネントと対話中の１つのコンポーネントからのデータ、又はインターネット等のネットワークを通じて信号を用いてその他のシステムと対話中のコンポーネントからのデータ）を有する信号に従って、通信することができる。さらに、当業者によって評価されるであろうように、ここにおいて説明されるシステムのコンポーネント又はモジュールは、ここに関して説明される様々な態様、目標、利点、等を達成させるのを容易にするために再変更すること、又は追加のコンポーネント／モジュール／システムによって補完することができ、及び、所定の図に示される正確な構成に限定されない。
【００９８】
さらに、様々な態様がユーザ装置（ＵＥ）と関係させてここにおいて説明される。ＵＥは、システム、加入者ユニット、加入者局、移動局、モバイル、モバイル通信デバイス、モバイルデバイス、遠隔局、遠隔端末、アクセス端末（ＡＴ）、ユーザエージェント（ＵＡ）、ユーザデバイス、又はユーザ端末（ＵＥ）と呼ぶこともできる。加入者局は、携帯電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、又は、処理デバイスとの無線通信を容易にする無線モデム又は類似の機構に接続されたその他の処理デバイス、であることができる。
【００９９】
１つ以上の典型的な実施形態において、説明される機能は、ハードウェア、ソフトウェア、ファームウェア、ミドルウェア、マイクロコード、又はそれらのあらゆる適切な組み合わせにおいて実装することができる。ソフトウェアにおいて実装される場合は、これらの機能は、１つ以上の命令又は符号としてコンピュータによって読み取り可能な媒体に格納すること又は１つ以上の命令又は符号として送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、コンピュータによってアクセス可能なあらゆる物理的媒体であることができる。一例として、及び限定することなしに、該コンピュータ記憶媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、スマートカード、及びフラッシュメモリデバイス（例えば、カード、スティック、キードライブ、等）、又は、命令又はデータ構造の形態で希望されるプログラムコードを搬送又は格納するために用いることができ及びコンピュータによってアクセス可能であるその他の媒体、を備えることができる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、通常は磁気的にデータを複製し、ｄｉｓｃは、レーザを用いて光学的にデータを複製する。上記の組合せも、コンピュータによって読み取り可能な媒体の適用範囲に含めるべきである。
【０１００】
ハードウェア実装の場合は、ここにおいて開示される態様と関係させて説明される処理ユニットの様々な例示的な論理、論理ブロック、モジュール、及び回路は、ここにおいて説明される機能を果たすように設計された１つ以上のＡＳＩＣ、ＤＳＰ、ＤＳＰＤ、ＰＬＤ、ＦＰＧＡ、ディスクリートゲートロジック、ディスクリートトランジスタロジック、ディスクリートハードウェアコンポーネント、汎用プロセッサ、コントローラ、マイクロコントローラ、マイクロプロセッサ、その他の電子ユニット、又はそれらの組み合わせ、内において実装又は実行することが可能である。汎用プロセッサは、マイクロプロセッサであることができるが、代替においては、プロセッサは、どのような従来のプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる適切な構成、として実装することも可能である。さらに、少なくとも１つのプロセッサは、ここにおいて説明されるステップ及び／又は動作のうちの１つ以上を実行するために動作可能な１つ以上のモジュールを備えることが可能である。
【０１０１】
さらに、ここにおいて説明される様々な態様又は特徴は、標準的なプログラミング及び／又はエンジニアリング技法を用いて方法、装置、又は製造品として実装することができる。さらに、ここにおいて開示される態様と関係させて説明される方法又はアルゴリズムのステップ及び／又は動作は、直接ハードウェア内において、プロセッサによって実行されるソフトウェアモジュール内において、又はこれらの２つの組み合わせ内において具現化することが可能である。さらに、幾つかの態様においては、方法又はアルゴリズムのステップ又は動作は、コンピュータプログラム製品内に組み入れることが可能な機械によって読み取り可能な媒体、又はコンピュータによって読み取り可能な媒体上において少なくとも１つの符号又は命令、符号又は命令のあらゆる組み合わせ又はあらゆる組として常駐可能である。ここにおいて用いられる場合における用語“製造品”は、あらゆる適切なコンピュータによって読み取り可能なデバイス又は媒体からアクセス可能なコンピュータプログラムを包含することが意図される。
【０１０２】
さらに、語句“典型的な”は、１つの例、事例、又は実例を提供することを意味するためにここにおいて用いられる。ここにおいて“典型的な”として説明されるいずれの態様又は設計も、その他の態様又は設計よりも好ましい又は有利であるとは必ずしも解釈されるべきではない。むしろ、語句典型的なの使用は、具体的な形で概念を提示することが意図される。この出願において用いられる場合において、語句“又は”は、排他的“又は”ではなく包含的“又は”を意味することが意図される。すなわち、その他の規定がない限り、又は文脈から明らかでない限り、“Ｘは、Ａ又はＢを採用する”は、自然の包含的置換のうちのいずれかを意味することが意図される。すなわち、ＸがＡを採用する、ＸがＢを採用する、又はＸがＡ及びＢの両方を採用する場合は、“Ｘは、Ａ又はＢを採用する”は、上記の事例のいずれにおいても満たされる。さらに、この出願及び添付される請求項において用いられる冠詞“ａ（１つの）”又は“ａｎ（１つの）”は、その他の規定がない限り又は単数形であることが示されることが文脈から明らかでない限り、“１つ以上”を意味すると概して解釈されるべきである。
【０１０３】
さらに、ここにおいて用いられる場合において、用語“推測する”又は“推測”は、概して、システム、環境、又はユーザの状態をイベント、又はデータを介して取得された一組の観察事項から推量するか又は推測するプロセスを指す。推測は、特定の状況又は行動を識別するために採用することができるか、又は例えば状態に関する確率分布を生成することができる。推測は、確率論的、すなわち、データ及びイベントの考慮に基づいた対象状態に関する確率分布の計算、であることができる。推測は、より高いレベルのイベントを一組のイベント、又はデータから組み立てるために用いられる技法を指すこともできる。該推測の結果として、新しいイベント又は行動が一組の観察されたイベント及び／又は格納されたイベントデータから構築されることになり、これらのイベントが時間的に接近した形で相互に関連しているかどうか、及びこれらのイベント及びデータが１つ又は幾つかのイベント及びデータ源からのものであるかどうかを問わない。
【０１０４】
上述されていることは、請求される主題の態様の例を含む。当然のことであるが、請求される主題を説明することを目的としてコンポーネント又は方法のあらゆる考えられる組み合わせを説明することは可能ではないが、開示された主題の数多くのさらなる組み合わせ及び置換が可能であることを当業者は認識することができる。従って、開示される主題は、添付された請求項の精神及び適用範囲内にあるあらゆる該変更、修正及び変形を包含することが意図される。さらに、表現“含む”、“有する”又は“有している”は、発明を実施するための形態又は請求項において用いられる限りにおいて、該表現は、“備える”という表現が請求項において移行語として採用されたときの解釈と同様の包含性を有することが意図される。
【図１】
0005536100.tif 000002
【図２】
0005536100.tif 000003
【図３】
0005536100.tif 000004
【図４】
0005536100.tif 000005
【図５】
0005536100.tif 000006
【図６】
0005536100.tif 000007
【図７】
0005536100.tif 000008
【図８】
0005536100.tif 000009
【図９】
0005536100.tif 000010
【図１０】
0005536100.tif 000011
【図１１】
0005536100.tif 000012
【図１２】
0005536100.tif 000013
【図１３】
0005536100.tif 000014
【図１４】
0005536100.tif 000015
【図１５】
0005536100.tif 000016
【図１６】
0005536100.tif 000017